(57)【特許請求の範囲】
【請求項１】
少なくとも一台のＩＰ電話端末、バックアップ回線を収容する中継装置、およびサブＩＰ交換機が接続された複数の拠点ネットワークと、前記複数の拠点ネットワークに接続されたメインＩＰ交換機と、を有するＩＰ電話システムであって、
前記ＩＰ電話端末は、
前記メインＩＰ交換機との疎通を確認する端末側疎通確認手段と、
前記端末側疎通確認手段により前記メインＩＰ交換機との疎通が確認されているならば、前記メインＩＰ交換機にログインし、前記メインＩＰ交換機との疎通が確認されていないならば、自ＩＰ電話端末と同じ前記拠点ネットワークに接続されている前記サブＩＰ交換機にログインするログイン先切替手段と、を有し、
前記中継装置は、
前記メインＩＰ交換機との疎通を確認する装置側疎通確認手段と、
前記バックアップ回線を介して接続要求を受信した場合に、前記装置側疎通確認手段により前記メインＩＰ交換機との疎通が確認されているならば、前記メインＩＰ交換機に当該接続要求を中継し、前記メインＩＰ交換機との疎通が確認されていないならば、自中継装置と同じ前記拠点ネットワークに接続されている前記サブＩＰ交換機に当該接続要求を中継する着信中継手段と、
前記メインＩＰ交換機あるいは前記サブＩＰ交換機から接続要求を受信した場合に、前記バックアップ回線を介して他の何れかの前記中継装置に、当該接続要求を中継する発信中継手段と、を有し、
前記サブＩＰ交換機は、
自サブＩＰ交換機にログイン中の前記ＩＰ電話端末から接続要求を受信した場合に、当該接続要求の接続先が自サブＩＰ交換機にログイン中の他の前記ＩＰ電話端末であるならば、当該他の前記ＩＰ電話端末に当該接続要求を送信し、当該接続要求の接続先が自サブＩＰ交換機にログイン中の他の前記ＩＰ電話端末でないならば、自サブＩＰ交換機と同じ前記拠点ネットワークに接続されている前記中継装置に当該接続要求を送信する着信制御手段を有する
ことを特徴とするＩＰ電話システム。
【請求項２】
請求項１に記載のＩＰ電話システムであって、
前記発信中継手段は、
前記メインＩＰ交換機あるいは前記サブＩＰ交換機から受信した接続要求で指定されている接続先の前記ＩＰ電話端末と同じ前記拠点ネットワークに接続されている他の前記中継装置に、前記バックアップ回線を介して当該接続要求を中継する
ことを特徴とするＩＰ電話システム。
【請求項３】
請求項１又は２に記載のＩＰ電話システムであって、
前記メインＩＰ交換機は、
ログイン中の前記ＩＰ電話端末各々との疎通を確認する第一の交換機側疎通確認手段と、
前記第一の交換機側疎通確認手段により疎通が確認されなかったログイン中の前記ＩＰ電話端末を強制的にログアウトさせるログアウト手段と、
前記中継装置各々との疎通を確認する第二の交換機側疎通確認手段と、
自メインＩＰ交換機にログイン中の前記ＩＰ電話端末から接続要求を受信した場合に、当該接続要求の接続先がログアウト中の前記ＩＰ電話端末であるならば、前記第二の交換機側疎通確認手段により疎通が確認されている何れかの前記中継装置に、当該接続要求を転送する迂回制御手段と、を有する
ことを特徴とするＩＰ電話システム。
【請求項４】
請求項３に記載のＩＰ電話システムであって、
前記迂回制御手段は、
自メインＩＰ交換機にログイン中の前記ＩＰ電話端末から受信した接続要求の接続先がログアウト中の前記ＩＰ電話端末であるならば、当該接続要求の送信元である前記ＩＰ電話端末と同じ前記拠点ネットワークに接続されている前記中継装置に、当該接続要求を送信する
ことを特徴とするＩＰ電話システム。
【請求項５】
請求項１乃至４の何れか一項に記載のＩＰ電話システムであって、
前記メインＩＰ交換機は、
他の前記メインＩＰ交換機と接続するための交換機接続手段と、
自メインＩＰ交換機にログイン中の前記ＩＰ電話端末から接続要求を受信した場合に、当該接続要求の接続先が自メインＩＰ交換機の配下の前記ＩＰ電話端末でないならば、前記交換機接続手段に接続されている他の前記メインＩＰ交換機に当該接続要求を転送する発信転送手段と、
前記交換機接続手段に接続されている他の前記メインＩＰ交換機から接続要求を受信した場合に、当該接続要求の接続先が自メインＩＰ交換機の配下の前記ＩＰ電話端末であるならば、当該ＩＰ電話端末に当該接続要求を転送する着信転送手段と、を有する
ことを特徴とするＩＰ電話システム。
【請求項６】
請求項５に記載のＩＰ電話システムであって、
前記着信転送手段は、
前記交換機接続手段に接続されている他の前記メインＩＰ交換機から受信した接続要求の接続先の前記ＩＰ電話端末がログアウト中であるならば、当該メインＩＰ交換機に迂回指示を送信し、
前記発信転送手段は、
前記交換機接続手段に接続されている他の前記メインＩＰ交換機から、当該メインＩＰ交換機に転送した接続要求に対する応答として前記迂回指示を受信した場合に、何れかの前記拠点ネットワークに接続されている前記中継装置に、当該接続要求を転送する
ことを特徴とするＩＰ電話システム。
【請求項７】
請求項５に記載のＩＰ電話システムであって、
前記メインＩＰ交換機は、
ログアウト中の配下の前記ＩＰ電話端末を、前記交換機接続手段に接続されている他の前記メインＩＰ交換機に通知するログアウト端末通知手段をさらに有し、
前記発信転送手段は、
自メインＩＰ交換機にログイン中の前記ＩＰ電話端末から受信した接続要求の接続先が、前記交換機接続手段に接続されている他の前記メインＩＰ交換機から通知されたログアウト中の前記ＩＰ電話端末であるならば、何れかの前記拠点ネットワークに接続されている前記中継装置に、当該接続要求を転送する
ことを特徴とするＩＰ電話システム。
【請求項８】
請求項１乃至７の何れか一項に記載の中継装置。
【請求項９】
複数の拠点間における呼の中継方法であって、
各拠点に設置されているＩＰ電話端末が、
前記各拠点に設置されている全てのＩＰ電話端末を収容するメインＩＰ交換機との疎通を監視し、当該メインＩＰ交換機と疎通しているならば、当該メインＩＰ交換機にログインし、当該メインＩＰ交換機と疎通していないならば、自ＩＰ電話端末と同じ拠点に設置されているサブＩＰ交換機にログインし、
前記各拠点に設置されている中継装置が、
前記メインＩＰ交換機との疎通を監視し、自中継装置が収容するバックアップ回線を介して接続要求を受信した場合に、前記メインＩＰ交換機と疎通しているならば、当該メインＩＰ交換機に当該接続要求を中継し、前記メインＩＰ交換機と疎通していないならば、自中継装置と同じ拠点に設置されている前記サブＩＰ交換機に当該接続要求を中継し、
前記メインＩＰ交換機あるいは前記サブＩＰ交換機から接続要求を受信した場合に、前記バックアップ回線を介して他の何れかの前記中継装置に、当該接続要求を中継し、
前記各拠点に設置されている前記サブＩＰ交換機が、
自サブＩＰ交換機にログイン中の前記ＩＰ電話端末から接続要求を受信した場合に、当該接続要求の接続先が自サブＩＰ交換機にログイン中の前記ＩＰ電話端末であるならば、当該ＩＰ電話端末に当該接続要求を送信し、自サブＩＰ交換機にログイン中の前記ＩＰ電話端末でないならば、自サブＩＰ交換機と同じ拠点に設置されている前記中継装置に、当該接続要求を送信する
ことを特徴とする複数の拠点間における呼の中継方法。
【発明の詳細な説明】
【技術分野】
【０００１】
本発明は、複数の拠点に設置されたＩＰ電話端末を含むＩＰ電話システムに関し、特に複数の拠点間における呼の中継技術に関する。
【背景技術】
【０００２】
特許文献１には、ＩＰ交換機や回線に障害が発生しても、拠点内をバックアップしてＩＰ電話端末の動作を継続して運用できる技術が開示されている。この技術では、ＩＰ交換機や回線に障害が発生した場合に、バックアップ交換機が待機系から運用系に切り替わり、各拠点内の全てのＩＰ電話端末がＩＰ交換機からログアウトし、それぞれ自拠点内のバックアップ交換機にログインする。これにより、各ＩＰ電話端末は、自拠点内のバックアップ交換機の制御により、自拠点内の内線通話が可能となる。
【非特許文献１】特開２００６−２５４０９６号公報
【発明の開示】
【発明が解決しようとする課題】
【０００３】
特許文献１に記載の技術によれば、拠点およびＩＰ交換機間に障害が発生した場合でも、バックアップ交換機がこの拠点内をバックアップすることにより、この拠点内の内線通話を継続することができる。しかし、特許文献１に記載の技術は、拠点およびＩＰ交換機間に障害が発生した場合における、この拠点と他の拠点との間の通話を考慮していない。
【０００４】
本発明は、上記事情に鑑みてなされたものであり、本発明の目的は、拠点およびＩＰ交換機間に障害が発生した場合でも、この拠点と他の拠点との間で通話を行うことが可能な技術を提供することにある。
【課題を解決するための手段】
【０００５】
上記課題を解決するために、本発明では、各拠点に設置されているＩＰ電話端末が、各拠点に設置されている全てのＩＰ電話端末を収容するメインＩＰ交換機との疎通を監視し、メインＩＰ交換機と疎通しているならば、メインＩＰ交換機にログインし、メインＩＰ交換機と疎通していないならば、自ＩＰ電話端末と同じ拠点に設置されているサブＩＰ交換機にログインする。
【０００６】
また、各拠点に設置されている中継装置が、メインＩＰ交換機との疎通を監視し、自中継装置が収容するバックアップ回線を介して接続要求を受信した場合に、メインＩＰ交換機と疎通しているならば、メインＩＰ交換機にこの接続要求を中継し、メインＩＰ交換機と疎通していないならば、自中継装置と同じ拠点に設置されているサブＩＰ交換機にこの接続要求を中継する。また、メインＩＰ交換機あるいはサブＩＰ交換機から接続要求を受信した場合に、バックアップ回線を介して他の何れか中継装置に、この接続要求を中継する。
【０００７】
また、各拠点に設置されているサブＩＰ交換機が、自サブＩＰ交換機にログイン中のＩＰ電話端末から接続要求を受信した場合に、接続要求の接続先が自サブＩＰ交換機にログイン中の他のＩＰ電話端末であるならば、この他のＩＰ電話端末にこの接続要求を送信し、接続要求の接続先が自サブＩＰ交換機にログイン中の他のＩＰ電話端末でないならば、自サブＩＰ交換機と同じ拠点に設置されている中継装置に、この接続要求を送信する。
【０００８】
例えば、本発明は、少なくとも一台のＩＰ電話端末、バックアップ回線を収容する中継装置、およびサブＩＰ交換機が接続された複数の拠点ネットワークと、前記複数の拠点ネットワークに接続されたメインＩＰ交換機と、を有するＩＰ電話システムであって、
前記ＩＰ電話端末は、
前記メインＩＰ交換機との疎通を確認する端末側疎通確認手段と、
前記端末側疎通確認手段により前記メインＩＰ交換機との疎通が確認されているならば、前記メインＩＰ交換機にログインし、前記メインＩＰ交換機との疎通が確認されていないならば、自ＩＰ電話端末と同じ前記拠点ネットワークに接続されている前記サブＩＰ交換機にログインするログイン先切替手段と、を有し、
前記中継装置は、
前記メインＩＰ交換機との疎通を確認する装置側疎通確認手段と、
前記バックアップ回線を介して接続要求を受信した場合に、前記装置側疎通確認手段により前記メインＩＰ交換機との疎通が確認されているならば、前記メインＩＰ交換機に当該接続要求を中継し、前記メインＩＰ交換機との疎通が確認されていないならば、自中継装置と同じ前記拠点ネットワークに接続されている前記サブＩＰ交換機に当該接続要求を中継する着信中継手段と、
前記メインＩＰ交換機あるいは前記サブＩＰ交換機から接続要求を受信した場合に、前記バックアップ回線を介して他の何れか前記中継装置に、当該接続要求を中継する発信中継手段と、を有し、
前記サブＩＰ交換機は、
自サブＩＰ交換機にログイン中の前記ＩＰ電話端末から接続要求を受信した場合に、当該接続要求の接続先が自サブＩＰ交換機にログイン中の他の前記ＩＰ電話端末であるならば、当該他の前記ＩＰ電話端末に当該接続要求を送信し、自サブＩＰ交換機にログイン中の他の前記ＩＰ電話端末でないならば、自サブＩＰ交換機と同じ前記拠点ネットワークに接続されている前記中継装置に当該接続要求を送信する着信制御手段を有する。
【発明の効果】
【０００９】
本発明によれば、拠点ネットワークおよびメインＩＰ交換機間に障害が発生した場合でも、この拠点ネットワークと他の拠点ネットワークとの間で通話を行うことができる。
【発明を実施するための最良の形態】
【００１０】
以下、本発明の実施の形態を説明する。
【００１１】
［第一実施の形態］
先ず、本発明の第一実施の形態を説明する。
【００１２】
図１は、本発明の第一実施の形態に係るＩＰ電話システムの概略図である。
【００１３】
図示するように、本実施の形態のＩＰ電話システムは、複数の拠点ネットワーク２がＩＰ網３を介して管理ネットワーク１に接続されて構成されている。
【００１４】
管理ネットワーク１は、自管理ネットワーク１をＩＰ網３に接続するルータ１１と、メインＴＭ（テレフォニーマネージャ：呼制御サーバ）１２と、ルータ１１およびメインＴＭ１２を相互接続するＬＡＮ１３と、を有する。
【００１５】
各拠点ネットワーク２は、自拠点ネットワーク２をＩＰ網３に接続するルータ２１と、少なくとも一台のＩＰ−ＴＥＬ（電話端末）２２と、ＴＵＭ（テレフォニーユニット）２３と、サブＴＭ（テレフォニーマネージャ：呼制御サーバ）２４と、ルータ２１、ＩＰ−ＴＥＬ２２、ＴＵＭ２３およびサブＴＭ２４を相互接続するＬＡＮ２５と、を有する。
【００１６】
メインＴＭ１２は、各拠点ネットワーク２内の全てのＩＰ−ＴＥＬ２２の呼制御を担当するＩＰ交換機である。
【００１７】
ＴＵＭ２３は、自拠点ネットワーク２のバックアップ回線として機能する公衆網４に接続する。ここで、公衆網４の電話サービスには、例えばエヌ・ティ・ティ・コミュニケーションズ株式会社が提供するサービスであるメンバーズネットを利用することができる。サブＴＭ２４は、自拠点ネットワーク２およびメインＴＭ１２間の通信に障害が発生している場合に、自拠点ネットワーク２内のＩＰ−ＴＥＬ２２の呼制御を担当するＩＰ交換機である。
【００１８】
以上のような構成において、ＩＰ−ＴＥＬ２２は、メインＴＭ１２との疎通を監視する。そして、メインＴＭ１２と疎通しているならば、メインＴＭ１２にログインし、メインＴＭ１２と疎通していないならば、自拠点ネットワーク２内のサブＴＭ２４にログインする。
【００１９】
ＴＵＭ２３は、公衆網４や図示しない内線として動作可能なアナログ電話機や多機能電話機等を収容し、メインＴＭ１２（サブＴＭ２４）の制御のもとに、公衆網４や電話機等を、パケット網であるＬＡＮやＩＰ網３に接続させる。また、収容する回線数や、内線電話機の数により任意に増設可能としている。
【００２０】
呼制御に関するデータは、メインＴＭ１２（サブＴＭ２４）がすべて処理管理し、その他の音声データ等の変換処理は、ＴＵＭ２３が行っている。
【００２１】
ＴＵＭ２３が送受信するデータの発信元アドレスや、送信先アドレスの指定は、メインＴＭ１２（サブＴＭ２４）から指示されており、ＴＵＭ２３は、その指示に従い、電話機等からの呼制御情報やアナログ音声をＩＰパケットデータ化して、メインＴＭ１２（サブＴＭ２４）やＬＡＮ上に送出し、また、メインＴＭ１２（サブＴＭ２４）やＬＡＮからのＩＰパケットデータを受信して、アナログ音声に変換する動作を行う。
【００２２】
ＴＵＭ２３は、メインＴＭ１２との間で定期的にメッセージを送受信する疎通確認を行い、メインＴＭ１２と疎通している場合は、メインＴＭ１２にログインし、メインＴＭ１２との疎通確認がとれなくなった場合は、サブＴＭ２４との疎通確認後、疎通している場合はサブＴＭ２４にログインする（ログインしたＴＭの制御下となる）。
【００２３】
また、ＴＵＭ２３は、メインＴＭ１２との疎通を監視する。そして、公衆網４を介して接続要求メッセージを受信した場合に、メインＴＭ１２と疎通しているならば、この接続要求メッセージをメインＴＭ１２に中継し、メインＴＭ１２と疎通していないならば、この接続要求メッセージを自拠点ネットワーク２のサブＴＭ２４に中継する。また、ＴＵＭ２３は、メインＴＭ１２あるいはサブＴＭ２４から接続要求メッセージを受信した場合に、公衆網４を介して他の何れかのＴＵＭ２３に、この接続要求メッセージを中継する。
【００２４】
また、サブＴＭ２４は、自サブＴＭ２４にログイン中のＩＰ−ＴＥＬ２２から接続要求メッセージを受信した場合に、この接続要求メッセージの接続先が自サブＴＭ２４にログイン中の他のＩＰ−ＴＥＬ２２であるならば、この他のＩＰ−ＴＥＬ２２に、この接続要求メッセージを送信する。この接続要求メッセージの接続先が自サブＴＭ２４にログイン中の他のＩＰ−ＴＥＬ２２でないならば、自拠点ネットワーク２のＴＵＭ２３に、この接続要求メッセージを送信する。
【００２５】
また、メインＴＭ１２は、ログイン中の各ＩＰ−ＴＥＬ２２との疎通を監視し、疎通しなくなったログイン中のＩＰ−ＴＥＬ２２を強制的にログアウトさせる。また、メインＴＭ１２は、各ＴＵＭ２３との疎通を監視し、自メインＴＭ１２にログイン中のＩＰ−ＴＥＬ２２から接続要求メッセージを受信した場合に、この接続要求メッセージの接続先がログアウト中のＩＰ−ＴＥＬ２２であるならば、自メインＴＭ１２と疎通している何れかのＴＵＭ２３に、この接続要求メッセージを転送する。
【００２６】
次に、図１に示すＩＰ電話システムを構成する各装置について詳細に説明する。なお、ルータ１１、２１には既存の装置を利用できるので、その詳細な説明を省略する。
【００２７】
先ず、メインＴＭ１２を説明する。
【００２８】
図２は、本発明の第一実施の形態に係るメインＴＭ１２の概略構成図である。
【００２９】
図示するように、メインＴＭ１２は、ＬＡＮインターフェース部１２１と、ログイン処理部１２２と、ログインデータ記憶部１２３と、ＴＵＭ状態記憶部１２４と、疎通確認部１２５と、呼制御部１２６と、局データ記憶部１２７と、を有する。
【００３０】
ＬＡＮインターフェース部１２１は、ＬＡＮ１３に接続するためのインターフェースである。
【００３１】
ログイン処理部１２２は、ＩＰ−ＴＥＬ２２のログイン処理を行う。
【００３２】
ログインデータ記憶部１２３には、ＩＰ−ＴＥＬ２２のログイン処理に用いられるログインデータが記憶されている。図３（Ａ）は、ログインデータ記憶部１２３の登録内容を模式的に表した図である。図示するように、ログインデータ記憶部１２３には、各拠点ネットワーク２の全てのＩＰ−ＴＥＬ２２の各々についてレコード１２３０が登録されている。レコード１２３０は、拠点番号を登録するフィールド１２３１と、内線番号を登録するフィールド１２３２と、パスワード等の認証情報を登録するフィールド１２３３と、ＩＰアドレスを登録するフィールド１２３４と、疎通が確認された最終日時である最終疎通確認日時を登録するフィールド１２３５と、ログイン状態を登録するフィールド１２３６と、を有する。ここで、フィールド１２３１〜１２３３には予めデータが登録されている。フィールド１２３４〜１２３６は、ログイン処理部１２２および疎通確認部１２５によって更新される。
【００３３】
ＴＵＭ状態記憶部１２４には、各拠点ネットワーク２のＴＵＭ２３の疎通状態が記憶される。図３（Ｂ）は、ＴＵＭ状態記憶部１２４の登録内容を模式的に表した図である。図示するように、ＴＵＭ状態記憶部１２４には、各拠点ネットワーク２のＴＵＭ２３の各々についてレコード１２４０が登録されている。レコード１２４０は、拠点番号を登録するフィールド１２４１と、ＩＰアドレスを登録するフィールド１２４２と、疎通が確認された最終日時である最終疎通確認日時を登録するフィールド１２４３と、疎通状態を登録するフィールド１２４４と、公衆網４の収容回線の空き状態を登録するフィールド１２４５と、を有する。ここで、フィールド１２４１、１２４２には、予めデータが登録されている。フィールド１２４３〜１２４５は、疎通確認部１２５によって更新される。
【００３４】
疎通確認部１２５は、ＬＡＮインターフェース部１２１を介して疎通確認メッセージを受信すると、この疎通確認メッセージの送信元に疎通確認応答メッセージを送信する。また、疎通確認部１２５は、この疎通確認メッセージがＩＰ−ＴＥＬ２２のメッセージであるならば、この疎通確認メッセージの送信元のＩＰアドレスをキーにして、ログインデータ記憶部１２３からレコード１２３０を検索する。そして、検索したレコード１２３０のフィールド１２３５に登録されている最終疎通確認日時を更新する。一方、この疎通確認メッセージがＴＵＭ２３のメッセージであるならば、疎通確認部１２５は、この疎通確認メッセージの送信元のＩＰアドレスをキーにして、ＴＵＭ状態記憶部１２４からレコード１２４０を検索する。そして、検索したレコード１２４０のフィールド１２４３に登録されている最終疎通確認日時を更新するとともに、検索したレコード１２４０のフィールド１２４５の空き状態を、この疎通確認メッセージに含まれている収容回線の空き状態に更新する。また、このとき、検索したレコード１２４０のフィールド１２４４の疎通状態が「疎通なし」であるならば、疎通確認部１２５は、これを「疎通あり」に変更する。
【００３５】
また、疎通確認部１２５は、フィールド１２３６に登録されているログイン状態が「ログイン中」であり、且つフィールド１２３５に登録されている最終疎通確認日時から所定の時間（例えば１分：局データにて変更可能）を経過したレコード１２３０を、ログインデータ記憶部１２３から検索する。そして、検索したレコード１２３０のフィールド１２３６に登録されているログイン情報を「ログイン中」から「ログアウト中」に変更する。
【００３６】
また、疎通確認部１２５は、フィールド１２４４に登録されている疎通状態が「疎通あり」であり、且つフィールド１２４３に登録されている最終疎通確認日時から所定の時間（例えば１分：局データにて変更可能）を経過したレコード１２４０を、ＴＵＭ状態記憶部１２４から検索する。そして、検索したレコード１２４０のフィールド１２４４に登録されている疎通状態を「疎通あり」から「疎通なし」に変更する。
【００３７】
呼制御部１２６は、ＳＩＰ等の呼制御プロトコルに従い呼制御処理を行って、ＩＰ−ＴＥＬ２２間にセッションを確立する。また、呼制御部１２６は、迂回制御部１２６１を有する。迂回制御部１２６１は、自メインＴＭ１２にログイン中のＩＰ−ＴＥＬ２２から接続要求メッセージを受信した場合に、この接続要求メッセージの接続先の電話番号（拠点番号＋内線番号）をキーにして、ログインデータ記憶部１２３からレコード１２３０を検索する。そして、このレコード１２３０のフィールド１２３６に登録されているログイン状態が「ログアウト中」であるならば、ＴＵＭ状態記憶部１２４を参照し、フィールド１２４４に登録されている疎通状態が「疎通あり」であり、且つフィールド１２４５に登録されている収容回線の空き状態が「空きあり」のレコード１２４０に対応するＴＵＭ２３に、この接続要求メッセージを送信する。
【００３８】
局データ記憶部１２７には、呼制御部１２６による呼制御処理に用いられる局データが記憶されている。
【００３９】
図４は、本発明の第一実施の形態に係るメインＴＭ１２の動作を説明するためのフロー図である。
【００４０】
ログイン処理部１２２は、ＬＡＮインターフェース部１２１を介してＩＰ−ＴＥＬ２２からログイン要求メッセージを受信すると（Ｓ１０でＹＥＳ）、後述するログイン処理を実施する（Ｓ１１）。また、ログイン処理部１２２は、ＬＡＮインターフェース部１２１を介してＩＰ−ＴＥＬ２２からログアウト要求メッセージを受信すると（Ｓ１２でＹＥＳ）、後述するログアウト処理を実施する（Ｓ１３）。
【００４１】
疎通確認部１２５は、ＬＡＮインターフェース部１２１を介してＩＰ−ＴＥＬ２２あるいはＴＵＭ２３から疎通確認メッセージを受信すると（Ｓ１４でＹＥＳ）、後述する疎通確認応答処理を実施する（Ｓ１５）。また、疎通確認部１２５は、例えば定期的に、後述する状態更新処理（Ｓ１８）を実施する。
【００４２】
呼制御部１２６は、ＬＡＮインターフェース部１２１を介してＩＰ−ＴＥＬ２２あるいはＴＵＭ２３から接続要求メッセージを受信すると（Ｓ１６でＹＥＳ）、後述する接続処理を実施する（Ｓ１７）。
【００４３】
図５（Ａ）は、図４のＳ１１（ログイン処理）を説明するためのフロー図である。
【００４４】
ログイン処理部１２２は、ログイン要求メッセージに含まれている拠点番号および内線番号をキーにして、ログインデータ記憶部１２３からレコード１２３０を検索する（Ｓ１１０）。
【００４５】
レコード１２３０を検索できなかった場合（Ｓ１１０でＮＯ）、ログイン処理部１２２は、ＬＡＮインターフェース部１２１を介して、このログイン要求メッセージの送信元であるＩＰ−ＴＥＬ２２にログイン拒否応答メッセージを送信する（Ｓ１１４）。
【００４６】
一方、レコード１２３０を検索できた場合（Ｓ１１０でＹＥＳ）、ログイン処理部１２２は、このレコード１２３０のフィールド１２３３に登録されている認証情報と、ログイン要求メッセージに含まれている認証情報とを比較して、ログインを許可するか否かを判断する（Ｓ１１１）。
【００４７】
ログインを許可すると判断した場合（Ｓ１１１でＹＥＳ）、ログイン処理部１２２は、ＬＡＮインターフェース部１２１を介して、このログイン要求メッセージの送信元であるＩＰ−ＴＥＬ２２にログイン許可応答メッセージを送信する（Ｓ１１２）。それから、ログイン処理部１２２は、検索したレコード１２３０のフィールド１２３４に、このログイン要求メッセージの送信元のＩＰアドレスを登録する。また、このレコード１２３０のフィールド１２３５に現在日時を登録するとともに、このレコード１２３０のフィールド１２３６に登録されているログイン状態を「ログアウト中」から「ログイン中」に更新する（Ｓ１１３）。
【００４８】
一方、ログインを許可しないと判断した場合（Ｓ１１１でＮＯ）、ログイン処理部１２２は、ＬＡＮインターフェース部１２１を介して、このログイン要求メッセージの送信元であるＩＰ−ＴＥＬ２２にログイン拒否応答メッセージを送信する（Ｓ１１４）。
【００４９】
図５（Ｂ）は、図４のＳ１３（ログアウト処理）を説明するためのフロー図である。
【００５０】
ログイン処理部１２２は、ログアウト要求メッセージの送信元のＩＰアドレスをキーにして、ログインデータ記憶部１２３からレコード１２３０を検索する（Ｓ１３０）。
【００５１】
レコード１２３０を検索できなかった場合（Ｓ１３０でＮＯ）、ログイン処理部１２２は、ログアウト要求メッセージの送信元であるＩＰ−ＴＥＬ２２が何れの拠点ネットワーク２のＩＰ−ＴＥＬ２２でもないと判断し、ＬＡＮインターフェース部１２１を介して、このログアウト要求メッセージの送信元であるＩＰ−ＴＥＬ２２に、配下のＩＰ−ＴＥＬでない旨のエラーメッセージを送信するなどの所定のエラー処理を実施する（Ｓ１３４）。
【００５２】
一方、レコード１２３０を検索できた場合（Ｓ１３０でＹＥＳ）、ログイン処理部１２２は、このレコード１２３０のフィールド１２３６に登録されているログイン状態を調べる（Ｓ１３１）。
【００５３】
ログイン状態が「ログイン中」である場合（Ｓ１３１でＹＥＳ）、ログイン処理部１２２は、ＬＡＮインターフェース部１２１を介して、このログアウト要求メッセージの送信元であるＩＰ−ＴＥＬ２２にログアウト許可応答メッセージを送信する（Ｓ１３２）。それから、ログイン処理部１２２は、検索したレコード１２３０のフィールド１２３６に登録されているログイン状態を「ログイン中」から「ログアウト中」に更新する（Ｓ１３３）。
【００５４】
一方、ログイン状態が「ログイン中」でない場合（Ｓ１３１でＮＯ）、ログイン処理部１２２は、ＬＡＮインターフェース部１２１を介して、このログアウト要求メッセージの送信元であるＩＰ−ＴＥＬ２２に、ログインしていない旨のエラーメッセージを送信するなどの所定のエラー処理を実施する（Ｓ１３４）。
【００５５】
図６（Ａ）は、図４のＳ１５（疎通応答処理）を説明するためのフロー図である。
【００５６】
疎通確認部１２５は、ＬＡＮインターフェース部１２１を介して、疎通確認メッセージの送信元に、疎通確認応答メッセージを送信する（Ｓ１５０）。
【００５７】
また、疎通確認部１２５は、この疎通確認メッセージに含まれている送信元種別を判断する（Ｓ１５１）。送信元種別が「ＩＰ−ＴＥＬ」の場合（Ｓ１５１で「ＩＰ−ＴＥＬ」）、疎通確認部１２５は、この疎通確認メッセージの送信元のＩＰアドレスをキーにして、ログインデータ記憶部１２３からレコード１２３０を検索する。そして、検索したレコード１２３０のフィールド１２３５に登録されている最終疎通確認日時を現在日時に更新する（Ｓ１５２）。
【００５８】
一方、送信元種別が「ＴＵＭ」の場合（Ｓ１５１で「ＴＵＭ」）、疎通確認部１２５は、この疎通確認メッセージの送信元のＩＰアドレスをキーにして、ＴＵＭ状態記憶部１２４からレコード１２４０を検索する。そして、検索したレコード１２４０のフィールド１２４３に登録されている最終疎通確認日時を現在日時に更新するとともに、このレコード１２４０のフィールド１２４５に登録されている収容回線の空き状態を、この疎通確認メッセージに含まれている収容回線の空き状態に更新する。また、このレコード１２４０のフィールド１２４４に登録されている疎通状態が「疎通なし」であるならば、これを「疎通あり」に更新する（Ｓ１５３）。
【００５９】
図６（Ｂ）は、図４のＳ１８（状態更新処理）を説明するためのフロー図である。
【００６０】
疎通確認部１２５は、ログインデータ記憶部１２３を参照し、フィールド１２３５に登録されている最終疎通確認日時から所定の時間を経過しているレコード１２３０を検索する（Ｓ１８０）。フィールド１２３５に登録されている最終疎通確認日時から所定の時間を経過しているレコード１２３０を検索できた場合（Ｓ１８１でＹＥＳ）、疎通確認部１２５は、このレコード１２３０のフィールド１２３６に登録されているログイン状態が「ログイン中」であるならば、これを「ログアウト中」に更新する（Ｓ１８２）。
【００６１】
また、疎通確認部１２５は、ＴＵＭ状態記憶部１２４を参照し、フィールド１２４３に登録されている最終疎通確認日時から所定の時間を経過しているレコード１２４０を検索する（Ｓ１８３）。フィールド１２４３に登録されている最終疎通確認日時から所定の時間を経過しているレコード１２４０を検索できた場合（Ｓ１８４でＹＥＳ）、疎通確認部１２５は、このレコード１２４０のフィールド１２４４に登録されている疎通状態が「疎通あり」であるならば、これを「疎通なし」に更新するとともに、このレコード１２４０のフィールド１２４５に登録されている収容回線の空き状態をクリアする（Ｓ１８５）。
【００６２】
図７は、図４のＳ１７（接続処理）を説明するためのフロー図である。
【００６３】
呼制御部１２６は、接続要求メッセージに含まれている接続先のＩＰ−ＴＥＬ２２の拠点番号および内線番号をキーにして、ログインデータ記憶部１２３からレコード１２３０を検索する。そして、検索したレコード１２３０のフィールド１２３６に登録されているログイン状態を調べる（Ｓ１７０）。
【００６４】
ログイン状態が「ログイン中」である場合（Ｓ１７０でＹＥＳ）、接続先のＩＰ−ＴＥＬ２２は、自メインＴＭ１２にログイン中である。この場合、呼制御部１２６は、局データ記憶部１２７に記憶されている局データを参照し、このレコード１２３０のフィールド１２３４に登録されているＩＰアドレスにより特定されるＩＰ−ＴＥＬ２２に、この接続要求メッセージを送信する（Ｓ１７１）。
【００６５】
一方、ログイン状態が「ログアウト中」である場合（Ｓ１７０でＮＯ）、接続先のＩＰ−ＴＥＬ２２は、自メインＴＭ１２からすでにログアウトしている。この場合、迂回制御部１２６１は、接続要求メッセージに含まれている接続元のＩＰ−ＴＥＬ２２の拠点番号をキーにして、ＴＵＭ状態記憶部１２４からレコード１２４０を検索する。そして、検索したレコード１２４０のフィールド１２４４、１２４５に登録されている疎通状態、収容回線の空き状態を調べる（Ｓ１７２）。
【００６６】
疎通状態が「疎通あり」であり、且つ収容回線の空き状態が「空きあり」である場合（Ｓ１７３でＹＥＳ）、迂回制御部１２６１は、このレコード１２４０のフィールド１２４２に登録されているＩＰアドレスにより特定されるＴＵＭ２３を転送先のＴＵＭ２３に決定する（Ｓ１７４）。一方、疎通状態が「疎通なし」である場合、あるいは収容回線の空き状態が「なし」である場合（Ｓ１７３でＮＯ）、迂回制御部１２６１は、フィールド１２４４に登録されている疎通状態が「疎通あり」であり、且つフィールド１２４５に登録されている収容回線の空き状態が「空きあり」であるレコード１２４０をＴＵＭ状態記憶部１２４から一つ選択する。そして、選択したレコード１２４０のフィールド１２４２に登録されているＩＰアドレスにより特定されるＴＵＭ２３を転送先のＴＵＭ２３に決定する（Ｓ１７５）。
【００６７】
以上のようにして転送先のＴＵＭ２３を決定したならば、迂回制御部１２６１は、局データ記憶部１２７に記憶されている局データを参照し、この転送先のＴＵＭ２３に接続要求メッセージを転送する（Ｓ１７６）。
【００６８】
次に、サブＴＭ２４を説明する。
【００６９】
図８は、本発明の第一実施の形態に係るサブＴＭ２４の概略構成図である。
【００７０】
図示するように、サブＴＭ２４は、ＬＡＮインターフェース部２４１と、ログイン処理部２４２と、ログインデータ記憶部２４３と、呼制御部２４４と、局データ記憶部２４５と、を有する。
【００７１】
ＬＡＮインターフェース部２４１は、ＬＡＮ２５に接続するためのインターフェースである。
【００７２】
ログイン処理部２４２は、ＩＰ−ＴＥＬ２２のログイン処理を行う。
【００７３】
ログインデータ記憶部２４３には、ＩＰ−ＴＥＬ２２のログイン処理に用いられるログインデータが記憶されている。図９（Ａ）は、ログインデータ記憶部２４３の登録内容を模式的に表した図である。図示するように、ログインデータ記憶部２４３には、自拠点ネットワーク２内の各ＩＰ−ＴＥＬ２２についてレコード２４３０が登録されている。レコード２４３０は、拠点番号を登録するフィールド２４３１と、内線番号を登録するフィールド２４３２と、パスワード等の認証情報を登録するフィールド２４３３と、ＩＰアドレスを登録するフィールド２４３４と、ログイン状態を登録するフィールド２４３５と、を有する。ここで、フィールド２４３１〜２４３３には予めデータが登録されている。フィールド２４３４、２４３５は、ログイン処理部２４２によって更新される。なお、フィールド２４３１には、自拠点ネットワーク２の拠点番号が登録される。
【００７４】
呼制御部２４４は、ＳＩＰ等の呼制御プロトコルに従い呼制御処理を行って、ＩＰ−ＴＥＬ２２間にセッションを確立する。また、呼制御部２４４は、着信制御部２４４１を有する。着信制御部２４４１は、自サブＴＭ２４にログイン中のＩＰ−ＴＥＬ２２から接続要求メッセージを受信した場合に、この接続要求メッセージの接続先が自サブＴＭ２４にログイン中の他のＩＰ−ＴＥＬ２２であるならば、この接続先のＩＰ−ＴＥＬ２２に接続要求メッセージを送信し、自サブＴＭ２４にログイン中の他のＩＰ−ＴＥＬ２２でないならば、自拠点ネットワーク２内のＴＵＭ２３に接続要求メッセージを転送する。
【００７５】
局データ記憶部２４５には、呼制御部２４４による呼制御処理に用いられる局データが記憶されている。
【００７６】
図１０は、本発明の第一実施の形態に係るサブＴＭ２４の動作を説明するためのフロー図である。
【００７７】
ログイン処理部２４２は、ＬＡＮインターフェース部２４１を介してＩＰ−ＴＥＬ２２からログイン要求メッセージを受信すると（Ｓ２０でＹＥＳ）、後述するログイン処理を実施する（Ｓ２１）。また、ログイン処理部２４２は、ＬＡＮインターフェース部２４１を介してＩＰ−ＴＥＬ２２からログアウト要求メッセージを受信すると（Ｓ２２でＹＥＳ）、後述するログアウト処理を実施する（Ｓ２３）。
【００７８】
呼制御部２４４は、ＬＡＮインターフェース部２４１を介してＩＰ−ＴＥＬ２２あるいはＴＵＭ２３から接続要求メッセージを受信すると（Ｓ２４でＹＥＳ）、後述する接続処理を実施する（Ｓ２５）。
【００７９】
図１１（Ａ）は、図１０のＳ２１（ログイン処理）を説明するためのフロー図である。
【００８０】
ログイン処理部２４２は、ログイン要求メッセージに含まれている拠点番号および内線番号をキーにして、ログインデータ記憶部２４３からレコード２４３０を検索する（Ｓ２１０）。
【００８１】
レコード２４３０を検索できなかった場合（Ｓ２１０でＮＯ）、ログイン処理部２４２は、ログイン要求メッセージの送信元であるＩＰ−ＴＥＬ２２が自拠点ネットワーク２内のＩＰ−ＴＥＬ２２ではないと判断し、ＬＡＮインターフェース部２４１を介して、このログイン要求メッセージの送信元であるＩＰ−ＴＥＬ２２にログイン拒否応答メッセージを送信する（Ｓ２１４）。
【００８２】
一方、レコード２４３０を検索できた場合（Ｓ２１０でＹＥＳ）、ログイン処理部２４２は、このレコード２４３０のフィールド２４３３に登録されている認証情報と、ログイン要求メッセージに含まれている認証情報とを比較して、ログイン要求メッセージの送信元のログインを許可するか否かを判断する（Ｓ２１１）。
【００８３】
ログインを許可すると判断した場合（Ｓ２１１でＹＥＳ）、ログイン処理部２４２は、ＬＡＮインターフェース部２４１を介して、このログイン要求メッセージの送信元であるＩＰ−ＴＥＬ２２にログイン許可応答メッセージを送信する（Ｓ２１２）。それから、ログイン処理部２４２は、検索したレコード２４３０のフィールド２４３４のＩＰアドレスを、このログイン要求メッセージの送信元のＩＰアドレスに更新する。また、このレコード２４３０のフィールド２４３５に登録されているログイン状態を「ログアウト中」から「ログイン中」に更新する（Ｓ２１３）。
【００８４】
一方、ログインを許可しないと判断した場合（Ｓ２１１でＮＯ）、ログイン処理部２４２は、ＬＡＮインターフェース部２４１を介して、このログイン要求メッセージの送信元であるＩＰ−ＴＥＬ２２にログイン拒否応答メッセージを送信する（Ｓ２１４）。
【００８５】
図１１（Ｂ）は、図１０のＳ２３（ログアウト処理）を説明するためのフロー図である。
【００８６】
ログイン処理部２４２は、ログアウト要求メッセージの送信元のＩＰアドレスをキーにして、ログインデータ記憶部２４３からレコード２４３０を検索する（Ｓ２３０）。
【００８７】
レコード２４３０を検索できなかった場合（Ｓ２３０でＮＯ）、ログイン処理部２４２は、ログアウト要求メッセージの送信元であるＩＰ−ＴＥＬ２２が自拠点ネットワーク２内のＩＰ−ＴＥＬ２２ではないと判断し、ＬＡＮインターフェース部２４１を介して、このログアウト要求メッセージの送信元であるＩＰ−ＴＥＬ２２に、拠点が異なる旨のエラーメッセージを送信するなどの所定のエラー処理を実施する（Ｓ２３４）。
【００８８】
一方、レコード２４３０を検索できた場合（Ｓ２３０でＹＥＳ）、ログイン処理部２４２は、このレコード２４３０のフィールド２４３５に登録されているログイン状態を調べる（Ｓ２３１）。
【００８９】
ログイン状態が「ログイン中」である場合（Ｓ２３１でＹＥＳ）、ログイン処理部２４２は、ＬＡＮインターフェース部２４１を介して、このログアウト要求メッセージの送信元であるＩＰ−ＴＥＬ２２にログアウト許可応答メッセージを送信する（Ｓ２３２）。それから、ログイン処理部２４２は、検索したレコード２４３０のフィールド２４３５に登録されているログイン状態を「ログイン中」から「ログアウト中」に更新する（Ｓ２３３）。
【００９０】
一方、ログイン状態が「ログイン中」でない場合（Ｓ２３１でＮＯ）、ログイン処理部２４２は、ＬＡＮインターフェース部２４１を介して、このログアウト要求メッセージの送信元であるＩＰ−ＴＥＬ２２に、ログインしていない旨のエラーメッセージを送信するなどの所定のエラー処理を実施する（Ｓ２３４）。
【００９１】
図１２は、図１０のＳ２５（接続処理）を説明するためのフロー図である。
【００９２】
呼制御部２４４は、接続要求メッセージに含まれている接続先のＩＰ−ＴＥＬ２２の拠点番号および内線番号をキーにして、ログインデータ記憶部２４３からレコード２４３０を検索する。そして、検索したレコード２４３０のフィールド２４３５に登録されているログイン状態を調べる（Ｓ２５０）。
【００９３】
ログイン状態が「ログイン中」である場合（Ｓ２５０でＹＥＳ）、接続先のＩＰ−ＴＥＬ２２は、自サブＴＭ２４にログイン中である。この場合、呼制御部２４４は、局データ記憶部２４５に記憶されている局データを参照し、このレコード２４３０のフィールド２４３４に登録されているＩＰアドレスにより特定されるＩＰ−ＴＥＬ２２に、この接続要求メッセージを送信する（Ｓ２５１）。
【００９４】
一方、ログイン状態が「ログアウト中」である場合（Ｓ２５０でＮＯ）、接続先のＩＰ−ＴＥＬ２２は、自サブＴＭ２４からログアウトしている。この場合、着信制御部２４４１は、この接続要求メッセージの送信元アドレス等に基づいて、この送信元が自拠点ネットワーク２内のＴＵＭ２３であるか否かを調べる（Ｓ２５２）。
【００９５】
接続要求メッセージの送信元アドレスが自拠点ネットワーク２内のＴＵＭ２３でない場合（Ｓ２５２でＮＯ）、着信制御部２４４１は、局データ記憶部２４５に記憶されている局データを参照し、自拠点ネットワーク２内のＴＵＭ２３に、この接続要求メッセージを転送する（Ｓ２５３）。
【００９６】
一方、接続要求メッセージの送信元アドレスが自拠点ネットワーク２内のＴＵＭ２３である場合（Ｓ２５２でＹＥＳ）、着信制御部２４４１は、接続要求メッセージの接続先がログインしていない旨のエラーメッセージを自拠点ネットワーク２内のＴＵＭ２３に返送するなどの所定のエラー処理を実施する（Ｓ２５４）。
【００９７】
次に、ＴＵＭ２３を説明する。
【００９８】
図１３は、本発明の第一実施の形態に係るＴＵＭ２３の概略構成図である。
【００９９】
図示するように、ＴＵＭ２３は、ＬＡＮインターフェース部２３１と、少なくとも一つの公衆網インターフェース部２３２と、疎通確認部２３３と、ＴＭアドレス情報記憶部２３４と、ＴＵＭ番号情報記憶部２３５と、中継部２３６と、を有する。
【０１００】
ＬＡＮインターフェース部２３１は、ＬＡＮ２５に接続するためのインターフェースである。
【０１０１】
公衆網インターフェース部２３２は、公衆網４に接続するためのインターフェースであり、収容回線毎に設けられている。
【０１０２】
疎通確認部２３３は、定期的に、ＬＡＮインターフェース部２３１を介してメインＴＭ１２に、自ＴＵＭ２３の装置種別を含む疎通確認メッセージを送信する。そして、疎通確認メッセージを送信してから所定時間（例えば１５秒：局データにて変更可能）内に、メインＴＭ１２から疎通確認応答メッセージを受信したか否かを判断することで、メインＴＭ１２との疎通を判断する。なお、疎通確認部２３３は、公衆網インターフェース部２３２の使用状況（収容回線の空き状態）を監視しており、その監視結果を疎通確認メッセージに含めてメインＴＭ１２に送信する。
【０１０３】
ＴＭアドレス情報記憶部２３４には、メインＴＭ１２および自拠点ネットワーク２内のサブＴＭ２４の各々について、ＩＰアドレスを含むアドレス情報が記憶されている。
【０１０４】
ＴＵＭ番号情報記憶部２３５には、ＴＵＭ２３各々について、公衆網４の収容回線の電話番号を含む番号情報が記憶される。図９（Ｂ）は、ＴＵＭ番号情報記憶部２３５の登録内容例を示す図である。図示するように、ＴＵＭ番号情報記憶部２３５には、ＴＵＭ２３毎にレコード２３５０が登録されている。レコード２３５０は、拠点番号を登録するフィールド２３５１と、その拠点番号を持つ拠点ネットワーク２内のＴＵＭ２３に割り当てられた公衆網４の収容回線の電話番号を登録するフィールド２３５２と、を有する。
【０１０５】
中継部２３６は、ＬＡＮインターフェース部２３１および公衆網インターフェース部２３２間のデータのやり取りを中継する。また、中継部２３６は、発信中継部２３６１と、着信中継部２３６２と、を有する。
【０１０６】
発信中継部２３６１は、ＬＡＮインターフェース部２３１を介してメインＴＭ１２あるいは自拠点ネットワーク２内のサブＴＭ２４から接続要求メッセージを受信した場合に、この接続要求メッセージの接続先のＩＰ−ＴＥＬ２２と同じ拠点ネットワーク２内のＴＵＭ２３に、この接続要求を中継する。
【０１０７】
着信中継部２３６２は、公衆網インターフェース部２３２を介して他のＴＵＭ２３から接続要求メッセージを受信した場合に、自ＴＵＭ２３がメインＴＭ１２と疎通しているならば、この接続要求メッセージをメインＴＭ１２に中継し、自ＴＵＭ２３がメインＴＭ１２と疎通していないならば、この接続要求メッセージを自拠点ネットワーク２内のサブＴＭ２４に中継する。
【０１０８】
図１４は、本発明の第一実施の形態に係るＴＵＭ２３の動作を説明するためのフロー図である。
【０１０９】
例えば定期的に到来する疎通確認タイミングになると（Ｓ３０でＹＥＳ）、疎通確認部２３３は、収容回線の空き状況（公衆網インターフェース部２３２の使用状況）を取得し（Ｓ３１）、この収容回線の空き状況および自ＴＵＭ２３の装置種別を含む疎通確認メッセージを作成する。そして、疎通確認部２３３は、ＬＡＮインターフェース部２３１を介してメインＴＭ１２に、この疎通確認メッセージを送信する（Ｓ３２）。それから、疎通確認部２３３は、メインＴＭ１２から疎通確認応答メッセージが届くのを待つ（Ｓ３３、Ｓ３４）。
【０１１０】
ここで、所定時間（例えば１５秒：局データにて変更可能）の経過によりタイムアウトする前に、ＬＡＮインターフェース部２３１を介してメインＴＭ１２から疎通確認応答メッセージを受信した場合（Ｓ３３でＹＥＳ、Ｓ３４でＮＯ）、疎通確認部２３３は、メインＴＭ１２との疎通状態「疎通あり」を中継部２３６に通知する（Ｓ３５）。
【０１１１】
一方、ＬＡＮインターフェース部２３１を介してメインＴＭ１２から疎通確認応答メッセージを受信することなく、所定時間の経過によりタイムアウトした場合（Ｓ３３でＮＯ、Ｓ３４でＹＥＳ）、疎通確認部２３３は、メインＴＭ１２との疎通状態「疎通なし」を中継部２３６に通知する（Ｓ３６）。
【０１１２】
また、発信中継部２３６１は、ＬＡＮインターフェース部２４１を介してメインＴＭ１２あるいは自拠点ネットワーク２内のサブＴＭ２４から接続要求メッセージを受信すると（Ｓ３７でＹＥＳ）、後述する発信中継処理を実施する（Ｓ３８）。また、着信中継部２３６２は、何れかの公衆網インターフェース部２３２を介して公衆網４から着信すると（Ｓ３９でＹＥＳ）、後述する着信中継処理を実施する（Ｓ４０）。
【０１１３】
図１５（Ａ）は、図１４のＳ３８（発信中継処理）を説明するためのフロー図である。
【０１１４】
発信中継部２３６１は、接続要求メッセージに含まれている接続先のＩＰ−ＴＥＬ２２の拠点番号をキーにして、ＴＵＭ番号情報記憶部２３５からレコード２３５０を検索し、このレコード２３５０に対応するＴＵＭ２３を転送先のＴＵＭ２３に決定する（Ｓ３８０）。
【０１１５】
次に、発信中継部２３６１は、転送先のＴＵＭ２３に対応するレコード２３５０のフィールド２３５２から電話番号を一つ選択する。そして、何れかの公衆網インターフェース部２３２を介して、この電話番号に接続要求メッセージを付加して発信する（Ｓ３８１）。
【０１１６】
それから、発信中継部２３６１は、この公衆網インターフェース部２３２経由で公衆網４からの応答を待つ。公衆網４から接続要求応答メッセージが送られてきたならば（Ｓ３８２でＮＯ）、この公衆網インターフェース部２３２とＬＡＮインターフェース部２３１との間のデータのやり取りの中継を開始する（Ｓ３８３）。
【０１１７】
一方、この公衆網インターフェース部２３２経由で公衆網４からビジーメッセージが送られてきたならば（Ｓ３８２でＹＥＳ）、発信中継部２３６１は、転送先のＴＵＭ２３に対応するレコード２３５０のフィールド２３５２に未選択の電話番号があるか否かを調べる（Ｓ３８４）。未選択の電話番号があるならば（Ｓ３８４でＹＥＳ）、Ｓ３８１に戻って、この未選択の電話番号を選択する。そして、何れかの公衆網インターフェース部２３２を介して、この電話番号に接続要求メッセージを付加して発信する。未選択の電話番号がないならば（Ｓ３８４でＮＯ）、Ｓ３８５に進む。
【０１１８】
Ｓ３８５において、発信中継部２３６１は、転送先に選ばれていないＴＵＭ２３のレコード２３５０がＴＵＭ番号情報記憶部２３５にあるか否かを調べる。転送先に選ばれていない他のＴＵＭ２３のレコード２３５０がある場合（Ｓ３８５でＹＥＳ）、発信中継部２３６１は、このＴＵＭ２３を新たな転送先のＴＵＭ２３に決定し（Ｓ３８６）、Ｓ３８１に戻る。一方、転送先に選ばれていない他のＴＵＭ２３のレコード２３５０がない場合（Ｓ３８５でＮＯ）、発信中継部２３６１は、ＬＡＮインターフェース部２３１を介して接続要求メッセージの送信元に、ビジーメッセージを返信するなどの所定のエラー処理を実施する（Ｓ３８７）。
【０１１９】
図１５（Ｂ）は、図１４のＳ４０（着信中継処理）を説明するためのフロー図である。
【０１２０】
着信中継部２３６２は、疎通確認部２３３から通知されたメインＴＭ１２との最新の疎通状態が「疎通あり」である場合（Ｓ４００でＹＥＳ）、ＬＡＮインターフェース部２３１を介してメインＴＭ１２に、着信した呼に付加されている接続要求メッセージを転送する（Ｓ４０１）。それから、この呼が着信した公衆網インターフェース部２３２とＬＡＮインターフェース部２３１との間のデータのやり取りの中継を開始する（Ｓ４０３）。
【０１２１】
一方、着信中継部２３６２は、疎通確認部２３３から通知されたメインＴＭ１２との最新の疎通状態が「疎通なし」である場合（Ｓ４００でＮＯ）、ＬＡＮインターフェース部２３１を介して自拠点ネットワーク２内のサブＴＭ２４に、着信した呼に付加されている接続要求メッセージを転送する（Ｓ４０２）。それから、この呼が着信した公衆網インターフェース部２３２とＬＡＮインターフェース部２３１との間のデータのやり取りの中継を開始する（Ｓ４０３）。
【０１２２】
次に、ＩＰ−ＴＥＬ２２を説明する。
【０１２３】
図１６は、本発明の第一実施の形態に係るＩＰ−ＴＥＬ２２の概略構成図である。
【０１２４】
図示するように、ＩＰ−ＴＥＬ２２は、ＬＡＮインターフェース部２２１と、疎通確認部２２２と、ＴＭアドレス情報記憶部２２３と、ログイン要求部２２４と、ログインデータ記憶部２２５と、ＩＰ電話機能部２２６と、を有する。
【０１２５】
ＬＡＮインターフェース部２２１は、ＬＡＮ２５に接続するためのインターフェースである。
【０１２６】
疎通確認部２３３は、定期的に、ＬＡＮインターフェース部２２１を介してメインＴＭ１２に、自ＩＰ−ＴＥＬ２２の装置種別を含む疎通確認メッセージを送信する。そして、疎通確認メッセージを送信してから所定時間（例えば１５秒：局データにて変更可能）内に、メインＴＭ１２から疎通確認応答メッセージを受信したか否かを判断することで、メインＴＭ１２との疎通を判断する。
【０１２７】
ＴＭアドレス情報記憶部２２３には、メインＴＭ１２および自拠点ネットワーク２内のサブＴＭ２４の各々について、ＩＰアドレスを含むアドレス情報が記憶されている。
【０１２８】
ログイン要求部２２４は、メインＴＭ１２あるいは自拠点ネットワーク２内のサブＴＭ２４に対してログイン要求を行う。
【０１２９】
ログインデータ記憶部２４３には、メインＴＭ１２および自拠点ネットワーク２内のサブＴＭ２４のそれぞれについて、ログイン要求に用いるログインデータが記憶されている。ログインデータには、拠点番号、内線番号、およびパスワード等の認証情報が含まれている。
【０１３０】
ＩＰ電話機能部２２６は、ＩＰ電話の発着信、通話、保留等のＩＰ電話サービスに必要な機能を提供する。
【０１３１】
図１７は、本発明の第一実施の形態に係るＩＰ−ＴＥＬ２２の動作を説明するためのフロー図である。
【０１３２】
例えば定期的に到来する疎通確認タイミングになると（Ｓ５０でＹＥＳ）、疎通確認部２２２は、ＬＡＮインターフェース部２２１を介してメインＴＭ１２に、自ＩＰ−ＴＥＬ２２の装置種別を含む疎通確認メッセージを送信する（Ｓ５１）。それから、疎通確認部２２２は、メインＴＭ１２から疎通確認応答メッセージが届くのを待つ（Ｓ５２、Ｓ５３）。
【０１３３】
所定時間（例えば１５秒：局データにて変更可能）の経過によりタイムアウトする前に、ＬＡＮインターフェース部２２１を介してメインＴＭ１２から疎通確認応答メッセージを受信した場合（Ｓ５２でＹＥＳ、Ｓ５３でＮＯ）、疎通確認部２２２は、メインＴＭ１２との疎通状態「疎通あり」をログイン要求部２２４に通知する（Ｓ５４）。
【０１３４】
これを受けて、ログイン要求部２２４は、ログイン先が自拠点ネットワーク２内のサブＴＭ２４である場合（Ｓ５５でＹＥＳ）、ＬＡＮインターフェース部２２１を介してこのサブＴＭ２４にログアウト要求メッセージを送信し、このサブＴＭ２４からログアウトする（Ｓ５６）。それから、ログイン要求部２２４は、ログインデータ記憶部２２５から、メインＴＭ１２に対するログインデータを読み出し、このログインデータに基づいてログイン要求メッセージを生成する。そして、ＬＡＮインターフェース部２２１を介してメインＴＭ１２にログイン要求メッセージを送信して、メインＴＭ１２にログインする（Ｓ５７）。
【０１３５】
一方、ＬＡＮインターフェース部２２１を介してメインＴＭ１２から疎通確認応答メッセージを受信することなく、所定時間の経過によりタイムアウトした場合（Ｓ５２でＮＯ、Ｓ５３でＹＥＳ）、疎通確認部２２２は、メインＴＭ１２との疎通状態「疎通なし」をログイン要求部２２４に通知する（Ｓ５８）。
【０１３６】
これを受けて、ログイン要求部２２４は、ログイン先がメインＴＭ１２である場合（Ｓ５９でＹＥＳ）、メインＴＭ１２からログアウトする（Ｓ６０）。それから、ログイン要求部２２４は、ログインデータ記憶部２２５から自拠点ネットワーク２内のサブＴＭ２４に対するログインデータを読み出し、このログインデータに基づいてログイン要求メッセージを生成する。そして、ＬＡＮインターフェース部２２１を介してこのサブＴＭ２４にログイン要求メッセージを送信して、このサブＴＭ２４にログインする（Ｓ６１）。
【０１３７】
また、ＩＰ電話機能部２２６は、ユーザから発信指示を受け付けると（Ｓ６２でＹＥＳ）、ＬＡＮインターフェース部２２１を介してログイン先に接続要求メッセージを送信して、発信処理を行う（Ｓ６３）。また、ＩＰ電話機能部２２６は、ＬＡＮインターフェース部２２１を介してログイン先から接続要求メッセージを受信すると（Ｓ６４でＹＥＳ）、着信処理を行う（Ｓ６５）。
【０１３８】
次に、本発明の第一実施の形態に係るＩＰ電話システムの動作例を説明する。
【０１３９】
図１８は、ＩＰ−ＴＥＬ２２が他の拠点ネットワーク２内のＩＰ−ＴＥＬ２２に発信する場合のＩＰ電話システムの第一の動作例を示すシーケンス図である。
【０１４０】
ここでは、拠点番号［０１］、内線番号［００１］のＩＰ−ＴＥＬ２２が、拠点番号［０２］、内線番号［００５］のＩＰ−ＴＥＬ２２に発信する場合において、拠点番号［０１］の拠点ネットワーク２とメインＴＭ１２との間に通信障害が発生したときの動作例を示している。
【０１４１】
拠点番号［０１］、内線番号［００１］のＩＰ−ＴＥＬ２２は、メインＴＭ１２および拠点番号［０１］の拠点ネットワーク２間の通信障害により（Ｓ９０１）、メインＴＭ１２との疎通状態が「疎通なし」になると、メインＴＭ１２からログアウトして（Ｓ９０２）、自拠点ネットワーク２内のサブＴＭ２４にログインする（Ｓ９０３）。また、ＴＵＭ２３は、メインＴＭ１２との疎通状態が「疎通なし」になると、メインＴＭ１２からログアウトして（Ｓ９０２Ａ）、自拠点ネットワーク２内のサブＴＭ２４にログインする（Ｓ９０３Ｂ）。
【０１４２】
その後、拠点番号［０１］、内線番号［００１］のＩＰ−ＴＥＬ２２は、拠点番号［０２］、内線番号［００５］のＩＰ−ＴＥＬ２２に対する発信指示をユーザから受け付けると、拠点番号［０２］、内線番号［００５］を接続先の電話番号とする接続要求メッセージを生成する。そして、ログイン先である自拠点ネットワーク２内のサブＴＭ２４に、この接続要求メッセージを送信する（Ｓ９０４）。
【０１４３】
これを受けて、拠点番号［０１］の拠点ネットワーク２内のサブＴＭ２４は、この接続要求メッセージに含まれている接続先の拠点番号［０２］が自拠点ネットワーク２の拠点番号［０１］と異なることを確認し、この接続要求メッセージを自拠点ネットワーク２内のＴＵＭ２３に転送する（Ｓ９０５）。
【０１４４】
拠点番号［０１］の拠点ネットワーク２内のＴＵＭ２３は、自拠点ネットワーク２内のサブＴＭ２４から接続要求メッセージを受信すると、この接続要求メッセージに含まれている接続先の拠点番号［０２］を特定し、この拠点番号［０２］の拠点ネットワーク２内のＴＵＭ２３に割り当てられた公衆網４の電話番号を特定する。そして、この電話番号に対して、この接続要求メッセージが付加された呼を発信する（Ｓ９０６）。この呼は、公衆網４を介して、拠点番号［０２］の拠点ネットワーク２内のＴＵＭ２３に着信する。
【０１４５】
次に、拠点番号［０２］の拠点ネットワーク２内のＴＵＭ２３は、メインＴＭ１２と疎通していることを確認し、公衆網４から着信した呼に付加されている接続要求メッセージをメインＴＭ１２に転送する（Ｓ９０７）。
【０１４６】
メインＴＭ１２は、接続要求メッセージを受信すると、この接続要求メッセージに含まれている接続先の拠点番号［０２］、内線番号［００５］により特定されるＩＰ−ＴＥＬ２２が自メインＴＭ１２にログイン中であることを確認し、このＩＰ−ＴＥＬ２２に、この接続要求メッセージを転送する（Ｓ９０８）。これを受けて、拠点番号［０２］、内線番号［００５］のＩＰ−ＴＥＬ２２は、着信音を出力するなどしてユーザを呼び出す。
【０１４７】
さて、拠点番号［０２］、内線番号［００５］のＩＰ−ＴＥＬ２２は、この呼び出しに対する応答指示をユーザから受け付けると、ログイン先であるメインＴＭ１２に接続応答メッセージを送信する（Ｓ９０９）。
【０１４８】
メインＴＭ１２は、接続応答メッセージを受信すると、この接続応答メッセージを、接続要求メッセージの送信元である拠点番号［０２］の拠点ネットワーク２内のＴＵＭ２３に転送する（Ｓ９１０）。
【０１４９】
これを受けて、拠点番号［０２］の拠点ネットワーク２内のＴＵＭ２３は、公衆網４を介して拠点番号［０１］の拠点ネットワーク２内のＴＵＭ２３に、この接続応答メッセージが付加された着信応答を返信する（Ｓ９１１）。
【０１５０】
拠点番号［０１］の拠点ネットワーク２内のＴＵＭ２３は、公衆網４を介して拠点番号［０２］の拠点ネットワーク２内のＴＵＭ２３から着信応答を受信すると、この着信応答に付加されている接続応答メッセージを、自拠点ネットワーク２内のサブＴＭ２４に送信する（Ｓ９１２）。
【０１５１】
これを受けて、拠点番号［０１］の拠点ネットワーク２内のサブＴＭ２４は、接続要求メッセージの送信元である拠点番号［０１］、内線番号［００１］のＩＰ−ＴＥＬ２２に接続応答メッセージを転送する（Ｓ９１３）。
【０１５２】
これにより、拠点番号［０１］の拠点ネットワーク２内のＴＵＭ２３と拠点番号［０２］の拠点ネットワーク２内のＴＵＭ２３との間が公衆網４上の回線で接続され、拠点番号［０１］、内線番号［００１］のＩＰ−ＴＥＬ２２と、拠点番号［０２］、内線番号［００５］のＩＰ−ＴＥＬ２２との間に、通話路が形成される（Ｓ９１４〜Ｓ９１６）。
【０１５３】
図１９は、ＩＰ−ＴＥＬ２２が他の拠点ネットワーク２内のＩＰ−ＴＥＬ２２に発信する場合のＩＰ電話システムの第二の動作例を示すシーケンス図である。
【０１５４】
ここでは、拠点番号［０２］、内線番号［００５］のＩＰ−ＴＥＬ２２が、拠点番号［０１］、内線番号［００１］のＩＰ−ＴＥＬ２２に発信する場合において、拠点番号［０１］の拠点ネットワーク２とメインＴＭ１２との間に通信障害が発生したときの動作例を示している。
【０１５５】
拠点番号［０１］、内線番号［００１］のＩＰ−ＴＥＬ２２は、メインＴＭ１２および拠点番号［０１］の拠点ネットワーク２間の通信障害により（Ｓ９２１）、メインＴＭ１２との疎通状態が「疎通なし」になると、メインＴＭ１２からログアウトして（Ｓ９２２）、自拠点ネットワーク２内のサブＴＭ２４にログインする（Ｓ９２３）。また、ＴＵＭ２３は、メインＴＭ１２との疎通状態が「疎通なし」になると、メインＴＭ１２からログアウトして（Ｓ９２２Ａ）、自拠点ネットワーク２内のサブＴＭ２４にログインする（Ｓ９２３Ｂ）。
【０１５６】
さて、拠点番号［０２］、内線番号［００５］のＩＰ−ＴＥＬ２２は、拠点番号［０１］、内線番号［００１］のＩＰ−ＴＥＬ２２に対する発信指示をユーザから受け付けると、拠点番号［０１］、内線番号［００１］を接続先の電話番号とする接続要求メッセージを生成する。そして、ログイン先であるメインＴＭ１２に、この接続要求メッセージを送信する（Ｓ９２４）。
【０１５７】
これを受けて、メインＴＭ１２は、この接続要求メッセージに含まれている接続先の拠点番号［０１］、内線番号［００１］により特定されるＩＰ−ＴＥＬ２２が、自メインＴＭ１２にログインしていないことを確認し、この接続要求メッセージの送信元のＩＰ−ＴＥＬ２２と同じ拠点番号［０２］の拠点ネットワーク２内のＴＵＭ２３に、この接続要求メッセージを転送する（Ｓ９２５）。
【０１５８】
拠点番号［０２］の拠点ネットワーク２内のＴＵＭ２３は、メインＴＭ１２から接続要求メッセージを受信すると、この接続要求メッセージに含まれている接続先の拠点番号［０１］を特定し、この拠点番号［０１］の拠点ネットワーク２内のＴＵＭ２３に割り当てられた公衆網４の電話番号を特定する。そして、この電話番号に対して、この接続要求メッセージが付加された呼を発信する（Ｓ９２６）。この呼は、公衆網４を介して、拠点番号［０１］の拠点ネットワーク２内のＴＵＭ２３に着信する。
【０１５９】
次に、拠点番号［０１］の拠点ネットワーク２内のＴＵＭ２３は、メインＴＭ１２と疎通していないことを確認し、自拠点ネットワーク２内のサブＴＭ２４に、公衆網４から着信した呼に付加されている接続要求メッセージを転送する（Ｓ９２７）。
【０１６０】
拠点番号［０１］の拠点ネットワーク２内のサブＴＭ２４は、接続要求メッセージを受信すると、この接続要求メッセージに含まれている接続先の拠点番号［０１］、内線番号［００１］により特定されるＩＰ−ＴＥＬ２２が自サブＴＭ２４にログイン中であることを確認し、このＩＰ−ＴＥＬ２２に、この接続要求メッセージを転送する（Ｓ９２８）。これを受けて、拠点番号［０１］、内線番号［００１］のＩＰ−ＴＥＬ２２は、着信音を出力するなどしてユーザを呼び出す。
【０１６１】
さて、拠点番号［０１］、内線番号［００１］のＩＰ−ＴＥＬ２２は、この呼び出しに対する応答指示をユーザから受け付けると、ログイン先である自拠点ネットワーク２内のサブＴＭ２４に接続応答メッセージを送信する（Ｓ９２９）。
【０１６２】
拠点番号［０１］の拠点ネットワーク２内のサブＴＭ２４は、接続応答メッセージを受信すると、この接続応答メッセージを、接続要求メッセージの送信元である自拠点ネットワーク２内のＴＵＭ２３に転送する（Ｓ９３０）。
【０１６３】
これを受けて、拠点番号［０１］の拠点ネットワーク２内のＴＵＭ２３は、公衆網４を介して拠点番号［０２］の拠点ネットワーク２内のＴＵＭ２３に、この接続応答メッセージが付加された着信応答を返信する（Ｓ９３１）。
【０１６４】
拠点番号［０２］の拠点ネットワーク２内のＴＵＭ２３は、公衆網４を介して拠点番号［０１］の拠点ネットワーク２内のＴＵＭ２３から着信応答を受信すると、この着信応答に付加されている接続応答メッセージをメインＴＭ１２に送信する（Ｓ９３２）。
【０１６５】
これを受けて、メインＴＭ１２は、接続要求メッセージの送信元である拠点番号［０２］、内線番号［００５］のＩＰ−ＴＥＬ２２に接続応答メッセージを転送する（Ｓ９３３）。
【０１６６】
これにより、拠点番号［０２］の拠点ネットワーク２内のＴＵＭ２３と拠点番号［０１］の拠点ネットワーク２内のＴＵＭ２３との間が公衆網４上の回線で接続され、拠点番号［０２］、内線番号［００５］のＩＰ−ＴＥＬ２２と、拠点番号［０１］、内線番号［００１］のＩＰ−ＴＥＬ２２との間に、通話路が形成される（Ｓ９３４〜Ｓ９３６）。
【０１６７】
以上、本発明の第一実施の形態について説明した。
【０１６８】
本実施の形態では、ＩＰ−ＴＥＬ２２は、メインＴＭ１２との疎通を監視し、メインＴＭ１２と疎通しているならばメインＴＭ１２にログインし、メインＴＭ１２と疎通していないならば自拠点ネットワーク２内のサブＴＭ２４にログインする。
【０１６９】
また、ＴＵＭ２３は、メインＴＭ１２との疎通を監視し、公衆網４を介して呼が着信した場合に、メインＴＭ１２と疎通しているならば、この呼に付加されている接続要求メッセージをメインＴＭ１２に中継し、メインＴＭ１２と疎通していないならば、この呼に付加されている接続要求メッセージを自拠点ネットワーク２内のサブＴＭ２４に中継する。また、メインＴＭ１２あるいは自拠点ネットワーク２内のサブＴＭ２４から接続要求メッセージを受信した場合に、公衆網４を介して他のＴＵＭ２３に、この接続要求メッセージが付加された呼を発信する。
【０１７０】
また、サブＴＭ２４は、自サブＴＭ２４にログイン中のＩＰ−ＴＥＬ２２から接続要求メッセージを受信した場合に、この接続要求メッセージの接続先が自サブＴＭ２４にログイン中の他のＩＰ−ＴＥＬ２２であるならば、このＩＰ−ＴＥＬ２２にこの接続要求メッセージを送信し、この接続要求メッセージの接続先が自サブＴＭ２４にログイン中の他のＩＰ−ＴＥＬ２２でないならば、自拠点ネットワーク２のＴＵＭ２３に、この接続要求メッセージを送信する。
【０１７１】
したがって、本実施の形態によれば、拠点ネットワーク２およびメインＴＭ１２間に障害が発生している場合でも、この拠点ネットワーク２と他の拠点ネットワーク２との間で通話を行うことができる。また、本実施の形態によれば、ユーザは、各拠点ネットワーク２のＴＵＭ２３の、公衆網４における電話番号を知らなくても、拠点ネットワーク２およびメインＴＭ１２間に障害が発生している場合に、公衆網４を利用して、この拠点ネットワーク２とは別の拠点ネットワーク２のＩＰ−ＴＥＬ２２のユーザと電話をすることができる。
【０１７２】
また、本実施の形態において、ＴＵＭ２３は、メインＴＭ１２あるいは自拠点ネットワーク２内のサブＴＭ２４から受信した接続要求メッセージの接続先のＩＰ−ＴＥＬ２２と同じ拠点ネットワーク２に接続されている他のＴＵＭ２３に、公衆網４を介して、この接続要求メッセージが付加された呼を発信する。
【０１７３】
したがって、本実施の形態によれば、接続元のＩＰ−ＴＥＬ２２が属する拠点ネットワーク２およびメインＴＭ１２間のみならず、接続先のＩＰ−ＴＥＬ２２が属する拠点ネットワーク２およびメインＴＭ１２間に通信障害が発生している場合でも、接続元のＩＰ−ＴＥＬ２２と接続先のＩＰ−ＴＥＬ２２との間で通話を行うことができる。
【０１７４】
また、本実施の形態において、メインＴＭ１２は、各ＴＵＭ２３との疎通を監視する。そして、メインＴＭ１２は、自メインＴＭ１２にログインしたＩＰ−ＴＥＬ２２から接続要求メッセージを受信した場合、この接続要求メッセージの接続先が、自メインＴＭ１２からログアウトしたＩＰ−ＴＥＬ２２であるならば、ＴＵＭ状態記憶部１２４に登録されているレコード１２４０のうち、フィールド１２４４の疎通状態が「疎通あり」であり、且つフィールド１２４５の収容回線の空き状態が「空きあり」であるレコード１２４０に対応する何れかＴＵＭ２３に、この接続要求メッセージを転送する。
【０１７５】
したがって、本実施の形態によれば、接続元のＩＰ−ＴＥＬ２２から発信された接続要求メッセージを、接続先のＩＰ−ＴＥＬ２２と同じ拠点ネットワーク２内のＴＵＭ２３に、より確実に届けることができる。
【０１７６】
また、本実施の形態において、メインＴＭ１２は、自メインＴＭ１２にログインしたＩＰ−ＴＥＬ２２から受信した接続要求メッセージの接続先が、自メインＴＭ１２からログアウトしたＩＰ−ＴＥＬ２２である場合に、接続元であるＩＰ−ＴＥＬ２２と同じ拠点ネットワーク２内のＴＵＭ２３に、この接続要求メッセージを送信する。
【０１７７】
したがって、本実施の形態によれば、接続先のＩＰ−ＴＥＬ２２が属する拠点ネットワーク２およびメインＴＭ１２間に障害が発生した場合に、接続元のＩＰ−ＴＥＬ２２が属する拠点ネットワーク２のＴＵＭ２３から、接続先のＩＰ−ＴＥＬ２２が属する拠点ネットワーク２のＴＵＭ２３に発信させることができる。このため、例えば、接続元のＩＰ−ＴＥＬ２２が属する拠点ネットワーク２のＴＵＭ２３に、公衆網４の利用料金を課金することができる。
【０１７８】
［第二実施の形態］
次に、本発明の第二実施の形態を説明する。
【０１７９】
図２０は、本発明の第二実施の形態に係るＩＰ電話システムの概略図である。なお、図２０において、図１に示す本発明の第一実施の形態に係るＩＰ電話システムと同じ機能を有するものには、同じ符号を付している。
【０１８０】
図示するように、本実施の形態に係るＩＰ電話システムが図１に示す本発明の第一実施の形態に係るＩＰ電話システムと異なる点は、管理ネットワーク１に代えて複数の管理ネットワーク１Ａを設けたことである。また、管理ネットワーク１Ａが、図１に示す管理ネットワーク１と異なる点は、メインＴＭ１２に代えて、複数のメインＴＭ１２Ａを設けたことである。
【０１８１】
上記第一実施の形態では、一台のメインＴＭ１２が各拠点ネットワーク２の全てのＩＰ−ＴＥＬ２２を配下とし、これらのＩＰ−ＴＥＬ２２の呼制御を担当した。これに対して、本実施の形態では、各拠点ネットワーク２の全てのＩＰ−ＴＥＬ２２の呼制御を複数のメインＴＭ１２Ａで分担する。つまり、拠点ネットワーク２毎に、拠点ネットワーク２内の全てのＩＰ−ＴＥＬ２２を配下とし、これらのＩＰ−ＴＥＬ２２の呼制御を担当するメインＴＭ１２Ａが予め決められている。各メインＴＭ１２Ａは、例えばＩＰ専用線５を介して相互接続されている。
【０１８２】
以上のような構成において、各メインＴＭ１２Ａは、配下のＩＰ−ＴＥＬ２２あるいはＴＵＭ２３から接続要求メッセージを受信した場合に、この接続要求メッセージの接続先が配下のＩＰ−ＴＥＬ２２でないならば、ＩＰ専用線５を介して他のメインＴＭ１２Ａに、この接続要求メッセージを転送する。このとき、メインＴＭ１２Ａは、転送先のメインＴＭ１２Ａから迂回指示メッセージを受信したならば、この接続要求メッセージを自メインＴＭ１２Ａと疎通している何れかのＴＵＭ２３に転送する。
【０１８３】
また、各メインＴＭ１２Ａは、ＩＰ専用線５を介して他のメインＴＭ１２Ａから接続要求メッセージを受信した場合に、この接続要求メッセージの接続先が、自メインＴＭ１２Ａにログイン中の配下のＩＰ−ＴＥＬ２２ならば、このＩＰ−ＴＥＬ２２に、この接続要求メッセージを送信する。一方、この接続要求メッセージの接続先が、自メインＴＭ１２Ａからログアウトした配下のＩＰ−ＴＥＬ２２ならば、ＩＰ専用線５を介して他のメインＴＭ１２Ａに迂回指示メッセージを返信する。
【０１８４】
その他の動作は、上記第一実施の形態と同様である。
【０１８５】
次に、メインＴＭ１２Ａについて詳細に説明する。なお、本実施の形態に係るＩＰ−ＴＥＬ２２、ＴＵＭ２３、およびサブＴＭ２４は、上記の第一実施の形態に係るものと基本的に同じである。但し、ＩＰ−ＴＥＬ２２は、自拠点ネットワーク２内のＩＰ−ＴＥＬ２２を配下とするメインＴＭ１２Ａを疎通確認先およびログイン先のメインＴＭ１２Ａとする。また、ＴＵＭ２３は、自拠点ネットワーク２内のＩＰ−ＴＥＬ２２を配下とするメインＴＭ１２Ａを疎通確認先および接続要求メッセージの転送先のメインＴＭ１２Ａとする。
【０１８６】
図２１は、本発明の第二実施の形態に係るメインＴＭ１２Ａの概略構成図である。
【０１８７】
図示するように、本実施の形態のメインＴＭ１２Ａが、図２に示す第一実施の形態のメインＴＭ１２と異なる点は、ＩＰ専用線インターフェース部１２８を新たに設けたこと、および呼制御部１２６に代えて呼制御部１２６Ａを設けたことである。その他の構成は、図２に示す第一実施の形態と同様である。但し、ログインデータ記憶部１２３には、配下のＩＰ−ＴＥＬ２２のログイン処理に用いられるログインデータが記憶される。また、ＴＵＭ状態記憶部１２４には、配下のＩＰ−ＴＥＬ２２が属する各拠点ネットワーク２のＴＵＭ２３の疎通状態が記憶される。
【０１８８】
ＩＰ専用線インターフェース部１２８は、ＩＰ専用線５に接続するためのインターフェースである。
【０１８９】
呼制御部１２６Ａは、ＳＩＰ等の呼制御プロトコルに従い呼制御処理を行って、ＩＰ−ＴＥＬ２２間にセッションを確立する。また、呼制御部１２６は、迂回制御部１２６１の他、さらに、発信転送部１２６２、および着信転送部１２６３を有する。迂回制御部１２６１は、図２に示す第一実施の形態のものと同様である。
【０１９０】
発信転送部１２６２は、自メインＴＭ１２Ａにログイン中のＩＰ−ＴＥＬ２２から接続要求メッセージを受信した場合に、この接続要求メッセージの接続先が自メインＴＭ１２Ａの配下のＩＰ−ＴＥＬ２２でないならば、ＩＰ専用線インターフェース部１２８を介して他のメインＴＭ１２Ａに、この接続要求メッセージを転送する。そして、発信転送部１２６２は、ＩＰ専用線インターフェース部１２８を介して他のメインＴＭ１２Ａから迂回指示メッセージを受信した場合に、ＴＵＭ状態記憶部１２４に登録されているレコード１２４０のうち、フィールド１２４４の疎通状態が「疎通あり」であり、且つフィールド１２４５の収容回線の空き状態が「空きあり」であるレコード１２４０に対応する何れかＴＵＭ２３に、この接続要求メッセージを転送する。
【０１９１】
着信転送部１２６３は、ＩＰ専用線インターフェース部１２８を介して他のメインＴＭ１２Ａから接続要求メッセージを受信した場合に、この接続要求メッセージの接続先が自メインＴＭ１２Ａの配下のＩＰ−ＴＥＬ２２であるならば、このＩＰ−ＴＥＬ２２にこの接続要求メッセージを転送する。但し、このＩＰ−ＴＥＬ２２が自メインＴＭ１２Ａからすでにログアウトしていれば、ＩＰ専用線インターフェース部１２８を介して他のメインＴＭ１２Ａに迂回指示メッセージを返信する。
【０１９２】
次に、メインＴＭ１２Ａの動作を説明する。
【０１９３】
図２２は、本発明の第二実施の形態に係るメインＴＭ１２Ａの動作を説明するためのフロー図である。このフローは、図４に示す第一実施の形態に係るメインＴＭ１２の動作フローにおいて、Ｓ１６およびＳ１７と置き換わるものである。なお、図２２において、図４と同じステップには同じ符号を付している。
【０１９４】
本実施の形態に係るメインＴＭ１２Ａは、図４に示す第一実施の形態に係るメインＴＭ１２の動作フローの処理に加え、さらに図２２に示す動作フローの処理を実施する。
【０１９５】
すなわち、呼制御部１２６Ａは、ＬＡＮインターフェース部１２１を介してＩＰ−ＴＥＬ２２あるいはＴＵＭ２３から接続要求メッセージを受信すると（Ｓ１６でＹＥＳ）、この接続要求メッセージの接続先の拠点番号および内線番号がフィールド１２３１、１２３２に登録されているレコード１２３０がログインデータ記憶部１２３に記憶されているか否かを調べることにより、この接続先のＩＰ−ＴＥＬ２２が自メインＴＭ１２Ａの配下のＩＰ−ＴＥＬであるか否かを判断する（Ｓ１６Ａ）。そして、呼制御部１２６Ａは、接続先のＩＰ−ＴＥＬ２２が自メインＴＭ１２Ａの配下のＩＰ−ＴＥＬである場合にのみ（Ｓ１６ＡでＹＥＳ）、図７に示す接続処理を実施し（Ｓ１７）、接続先のＩＰ−ＴＥＬ２２が配下のＩＰ−ＴＥＬでない場合は（Ｓ１６ＡでＮＯ）、後述する発信転送処理を実施する（Ｓ１７Ａ）。
【０１９６】
また、呼制御部１２６Ａは、ＩＰ専用線インターフェース部１２８を介して他のメインＴＭ１２Ａから転送された接続要求メッセージを受信した場合に（Ｓ１６ＢでＹＥＳ）、後述する着信転送処理を実施する（Ｓ１７Ｂ）。
【０１９７】
図２３（Ａ）は、図２２のＳ１７Ａ（発信転送処理）を説明するためのフロー図である。
【０１９８】
発信転送部１２６２は、局データ記憶部１２７を参照し、接続要求メッセージの接続先のＩＰ−ＴＥＬ２２を配下とする他のメインＴＭ１２Ａを特定する。そして、ＩＰ専用線インターフェース部１２８を介して、このメインＴＭ１２Ａに、この接続要求メッセージを転送する（Ｓ１７８０）。
【０１９９】
それから、発信転送部１２６２は、この接続要求メッセージの転送先から応答が送られてくるのを待つ（Ｓ１７８１）。そして、この接続要求メッセージの転送先から受信した応答が迂回指示メッセージでない場合（Ｓ１７８２でＮＯ）、このフローを終了する。一方、この接続要求メッセージの転送先から受信した応答が迂回指示メッセージである場合（Ｓ１７８２でＹＥＳ）、発信転送部１２６２は、図７のＳ１７２〜Ｓ１７６を実施して、自メインＴＭ１２Ａと疎通しており、且つ収容回線に空きがあるＴＵＭ２３に、この接続要求メッセージを送信する（Ｓ１７８３）。
【０２００】
図２３（Ｂ）は、図２２のＳ１７Ｂ（着信転送処理）を説明するためのフロー図である。
【０２０１】
着信転送部１２６３は、ログインデータ記憶部１２３を参照し、接続要求メッセージの接続先のＩＰ−ＴＥＬ２２が自メインＴＭ１２Ａにログイン中であるか否かを調べる（Ｓ１７９０）。
【０２０２】
自メインＴＭ１２Ａにログインしているならば（Ｓ１７９０でＹＥＳ）、着信転送部１２６３は、ＩＰ専用線インターフェース部１２８を介して、この接続要求メッセージの転送元である他のメインＴＭ１２Ａに、転送許可メッセージを応答する（Ｓ１７９１）。それから、ＬＡＮインターフェース部１２１を介して接続要求メッセージの接続先のＩＰ−ＴＥＬ２２に、この接続要求メッセージを送信する（Ｓ１７９２）。
【０２０３】
一方、自メインＴＭ１２Ａにログイン中でないならば（Ｓ１７９０でＮＯ）、着信転送部１２６３は、ＩＰ専用線インターフェース部１２８を介して、この接続要求メッセージの転送元である他のメインＴＭ１２Ａに迂回指示メッセージを応答する（Ｓ１７９３）。
【０２０４】
次に、本発明の第二実施の形態に係るＩＰ電話システムの動作例を説明する。
【０２０５】
図２４は、ＩＰ−ＴＥＬ２２が、自ＩＰ−ＴＥＬ２２を配下とするメインＴＭ１２Ａとは別のメインＴＭ１２Ａの配下にあるＩＰ−ＴＥＬ２２に発信する場合のＩＰ電話システムの動作例を示すシーケンス図である。
【０２０６】
ここでは、拠点番号［０１］、内線番号［００１］のＩＰ−ＴＥＬ２２が、拠点番号［０５］、内線番号［００９］のＩＰ−ＴＥＬ２２に発信する場合において、拠点番号［０５］の拠点ネットワーク２と、この拠点ネットワーク２内のＩＰ−ＴＥＬ２２を配下とするメインＴＭ１２Ａとの間に通信障害が発生したときの動作例を示している。
【０２０７】
なお、拠点［０１］の拠点ネットワーク２内のＩＰ−ＴＥＬ２２を配下とするメインＴＭ１２ＡをメインＴＭ［Ａ］１２Ａ、拠点［０５］の拠点ネットワーク２内のＩＰ−ＴＥＬ２２を配下とするメインＴＭ１２ＡをメインＴＭ［Ｂ］１２Ａとしている。
【０２０８】
拠点番号［０５］、内線番号［００９］のＩＰ−ＴＥＬ２２は、メインＴＭ［Ｂ］１２Ａおよび拠点番号［０５］の拠点ネットワーク２間の通信障害により（Ｓ９５１）、メインＴＭ［Ｂ］１２Ａとの疎通状態が「疎通なし」になると、メインＴＭ［Ｂ］１２Ａからログアウトして（Ｓ９５２）、自拠点ネットワーク２内のサブＴＭ２４にログインする（Ｓ９５３）。また、ＴＵＭ２３は、メインＴＭ［Ｂ］１２Ａとの疎通状態が「疎通なし」になると、メインＴＭ［Ｂ］１２Ａからログアウトして（Ｓ９５２Ａ）、自拠点ネットワーク２内のサブＴＭ２４にログインする（Ｓ９５３Ｂ）。
【０２０９】
さて、拠点番号［０１］、内線番号［００１］のＩＰ−ＴＥＬ２２は、拠点番号［０５］、内線番号［００９］のＩＰ−ＴＥＬ２２に対する発信指示をユーザから受け付けると、拠点番号［０５］、内線番号［００９］を接続先の電話番号とする接続要求メッセージを生成する。そして、ログイン先であるメインＴＭ［Ａ］１２Ａに、この接続要求メッセージを送信する（Ｓ９５４）。
【０２１０】
これを受けて、メインＴＭ［Ａ］１２Ａは、この接続要求メッセージに含まれている接続先の拠点番号［０５］、内線番号［００９］により特定されるＩＰ−ＴＥＬ２２がメインＴＭ［Ｂ］１２Ａの配下にあることを確認し、ＩＰ専用線５を介してメインＴＭ［Ｂ］１２Ａに、この接続要求メッセージを転送する（Ｓ９５５）。
【０２１１】
メインＴＭ［Ｂ］１２Ａは、ＩＰ専用線５を介してメインＴＭ［Ａ］１２Ａから接続要求メッセージを受信すると、この接続要求メッセージの接続先である拠点番号［０５］、内線番号［００９］のＩＰ−ＴＥＬ２２が自メインＴＭ［Ｂ］１２Ａにログインしていないことを確認し、ＩＰ専用線５を介してメインＴＭ［Ａ］１２Ａに迂回指示メッセージを送信する（Ｓ９５６）。
【０２１２】
メインＴＭ［Ａ］１２Ａは、ＩＰ専用線５を介してメインＴＭ［Ｂ］１２Ａから迂回指示メッセージを受信すると、接続要求メッセージの送信元のＩＰ−ＴＥＬ２２と同じ拠点番号［０１］の拠点ネットワーク２内のＴＵＭ２３に、この接続要求メッセージを転送する（Ｓ９５７）。
【０２１３】
拠点番号［０１］の拠点ネットワーク２内のＴＵＭ２３は、メインＴＭ［Ａ］１２Ａから接続要求メッセージを受信すると、この接続要求メッセージに含まれている接続先の拠点番号［０５］を特定し、この拠点番号［０５］の拠点ネットワーク２内のＴＵＭ２３に割り当てられた公衆網４の電話番号を特定する。そして、この電話番号に対して、この接続要求メッセージが付加された呼を発信する（Ｓ９５８）。この呼は、公衆網４を介して、拠点番号［０５］の拠点ネットワーク２内のＴＵＭ２３に着信する。
【０２１４】
次に、拠点番号［０５］の拠点ネットワーク２内のＴＵＭ２３は、メインＴＭ［Ｂ］１２Ａと疎通していないことを確認し、自拠点ネットワーク２内のサブＴＭ２４に、公衆網４から着信した呼に付加されている接続要求メッセージを転送する（Ｓ９５９）。
【０２１５】
拠点番号［０５］の拠点ネットワーク２内のサブＴＭ２４は、接続要求メッセージを受信すると、この接続要求メッセージに含まれている接続先の拠点番号［０５］、内線番号［００９］により特定されるＩＰ−ＴＥＬ２２が自サブＴＭ２４にログイン中であることを確認し、このＩＰ−ＴＥＬ２２に、この接続要求メッセージを転送する（Ｓ９６０）。これを受けて、拠点番号［０５］、内線番号［００９］のＩＰ−ＴＥＬ２２は、着信音を出力するなどしてユーザを呼び出す。
【０２１６】
さて、拠点番号［０５］、内線番号［００９］のＩＰ−ＴＥＬ２２は、この呼び出しに対する応答指示をユーザから受け付けると、ログイン先である自拠点ネットワーク２内のサブＴＭ２４に接続応答メッセージを送信する（Ｓ９６１）。
【０２１７】
拠点番号［０５］の拠点ネットワーク２内のサブＴＭ２４は、接続応答メッセージを受信すると、この接続応答メッセージを、接続要求メッセージの送信元である自拠点ネットワーク２内のＴＵＭ２３に転送する（Ｓ９６２）。
【０２１８】
これを受けて、拠点番号［０５］の拠点ネットワーク２内のＴＵＭ２３は、公衆網４を介して拠点番号［０１］の拠点ネットワーク２内のＴＵＭ２３に、この接続応答メッセージが付加された着信応答を返信する（Ｓ９６３）。
【０２１９】
拠点番号［０１］の拠点ネットワーク２内のＴＵＭ２３は、公衆網４を介して拠点番号［０５］の拠点ネットワーク２内のＴＵＭ２３から着信応答を受信すると、この着信応答に付加されている接続応答メッセージをメインＴＭ［Ａ］１２Ａに送信する（Ｓ９６４）。
【０２２０】
これを受けて、メインＴＭ１２は、接続要求メッセージの送信元である拠点番号［０１］、内線番号［００１］のＩＰ−ＴＥＬ２２に接続応答メッセージを転送する（Ｓ９６５）。
【０２２１】
これにより、拠点番号［０１］の拠点ネットワーク２内のＴＵＭ２３と拠点番号［０５］の拠点ネットワーク２内のＴＵＭ２３との間が公衆網４上の回線により接続され、拠点番号［０１］、内線番号［００１］のＩＰ−ＴＥＬ２２と、拠点番号［０５］、内線番号［００９］のＩＰ−ＴＥＬ２２との間に通話路が形成される（Ｓ９６６〜Ｓ９６８）。
【０２２２】
以上、本発明の第二実施の形態について説明した。
【０２２３】
本実施の形態によれば、上記の第一実施の形態に加えて、次の効果を有する。
【０２２４】
本実施の形態において、メインＴＭ１２Ａは、自メインＴＭ１２Ａにログイン中のＩＰ−ＴＥＬ２２から接続要求メッセージを受信した場合に、この接続要求メッセージの接続先が自メインＴＭ１２Ａの配下のＩＰ−ＴＥＬ２２でないならば、ＩＰ専用線５を介して他のメインＴＭ１２Ａに、この接続要求メッセージを転送する。また、ＩＰ専用線５を介して他のメインＴＭ１２Ａから接続要求メッセージを受信した場合に、この接続要求メッセージの接続先が自メインＴＭ１２Ａの配下のＩＰ−ＴＥＬ２２であるならば、このＩＰ−ＴＥＬ２２に接続要求メッセージを転送する。
【０２２５】
したがって、本実施の形態によれば、各拠点ネットワーク２のＩＰ−ＴＥＬ２２の呼制御を複数のメインＴＭ１２Ａで分担させた場合において、何れかの拠点ネットワーク２とこの拠点ネットワーク２内のＩＰ−ＴＥＬ２２を配下とするメインＴＭ１２Ａとの間に障害が発生しても、この拠点ネットワーク２内のＩＰ−ＴＥＬ２２と、この拠点ネットワーク２内のＩＰ−ＴＥＬ２２を配下とするメインＴＭ１２Ａとは別のメインＴＭ１２Ａの配下にあるＩＰ−ＴＥＬ２２との間で通話を行うことができる。
【０２２６】
また、本実施の形態において、メインＴＭ１２Ａは、ＩＰ専用線５を介して他のメインＴＭ１２Ａから接続要求メッセージを受信した場合に、この接続要求メッセージの接続先のＩＰ−ＴＥＬ２２がすでにログアウトしているならば、他のメインＴＭ１２Ａに迂回指示メッセージを応答する。また、ＩＰ専用線５を介して他のメインＴＭ１２Ａから、この他のメインＴＭ１２Ａに転送した接続要求メッセージに対する応答として迂回指示メッセージを受信した場合に、ＴＵＭ状態記憶部１２４において、フィールド１２４４の疎通状態が「疎通あり」であり、且つフィールド１２４５の収容回線の空き状態が「空きあり」であるレコード１２４０に対応する何れかＴＵＭ２３に、この接続要求メッセージを転送する。
【０２２７】
したがって、本実施の形態によれば、接続先のＩＰ−ＴＥＬ２２が属する拠点ネットワーク２と、この拠点ネットワーク２内のＩＰ−ＴＥＬ２２を配下とするメインＴＭ１２Ａとの間に障害が発生した場合に、接続元のＩＰ−ＴＥＬ２２を配下とするメインＴＭ１２Ａが管理するＴＵＭ２３から、接続先のＩＰ−ＴＥＬ２２が属する拠点ネットワーク２のＴＵＭ２３に発信させることができる。このため、接続元のＩＰ−ＴＥＬ２２を配下とするメインＴＭ１２Ａが管理するＴＵＭ２３に、公衆網４の利用料金を課金することができる。
【０２２８】
なお、本実施の形態では、メインＴＭ１２Ａが、他のメインＴＭ１２Ａから接続要求メッセージを受信した場合に、この接続要求メッセージの接続先のＩＰ−ＴＥＬ２２がすでにログアウトしているならば、この他のメインＴＭ１２Ａに迂回指示メッセージで応答する。また、他のメインＴＭ１２Ａから迂回指示メッセージを受信した場合に、自メインＴＭ１２Ａが管理する何れかＴＵＭ２３に接続要求メッセージを転送する。
【０２２９】
しかしながら、本発明はこれに限定されない。例えば定期的に、メインＴＭ１２Ａが、自メインＴＭ１２Ａからログアウトした配下のＩＰ−ＴＥＬ２２のリストを、ＩＰ専用線５を介して他のメインＴＭ１２Ａと交換するようにしてもよい。そして、自メインＴＭ１２Ａにログイン中のＩＰ−ＴＥＬ２２から接続要求メッセージを受信した場合において、この接続要求メッセージの接続先のＩＰ−ＴＥＬ２２が他のメインＴＭ１２Ａ配下のＩＰ−ＴＥＬ２２であり、且つこの他のメインＴＭ１２Ａからすでにログアウトしているならば、メインＴＭ１２Ａは、この他のメインＴＭ１２Ａに接続要求メッセージを転送することなく、自メインＴＭ１２Ａが管理する何れかＴＵＭ２３に接続要求メッセージを転送してもよい。このようにすることで、接続処理をより迅速に行うことができる。
【０２３０】
なお、本発明は上記の各実施の形態に限定されるものではなく、その要旨の範囲内で数々の変形が可能である。
【０２３１】
例えば、上記の各実施の形態において、メインＴＭ１２、１２Ａ、ＩＰ−ＴＥＬ２２、ＴＵＭ２３、およびサブＴＭ２４の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＤＳＰ（Ｄｉｇｉｔａｌ  Ｓｉｇｎａｌ  Ｐｒｏｃｅｓｓｏｒ）によりソフト的に実行されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【図面の簡単な説明】
【０２３２】
【図１】図１は、本発明の第一実施の形態に係るＩＰ電話システムの概略図である。
【図２】図２は、本発明の第一実施の形態に係るメインＴＭ１２の概略構成図である。
【図３】図３（Ａ）は、ログインデータ記憶部１２３の登録内容を模式的に表した図であり、図３（Ｂ）は、ＴＵＭ状態記憶部１２４の登録内容を模式的に表した図である。
【図４】図４は、本発明の第一実施の形態に係るメインＴＭ１２の動作を説明するためのフロー図である。
【図５】図５（Ａ）は、図４のＳ１１（ログイン処理）を説明するためのフロー図であり、図５（Ｂ）は、図４のＳ１３（ログアウト処理）を説明するためのフロー図である。
【図６】図６（Ａ）は、図４のＳ１５（疎通応答処理）を説明するためのフロー図であり、図６（Ｂ）は、図４のＳ１８（状態更新処理）を説明するためのフロー図である。
【図７】図７は、図４のＳ１７（接続処理）を説明するためのフロー図である。
【図８】図８は、本発明の第一実施の形態に係るサブＴＭ２４の概略構成図である。
【図９】図９（Ａ）は、ログインデータ記憶部２４３の登録内容を模式的に表した図であり、図９（Ｂ）は、ＴＵＭ番号情報記憶部２３５の登録内容例を示す図である。
【図１０】図１０は、本発明の第一実施の形態に係るサブＴＭ２４の動作を説明するためのフロー図である。
【図１１】図１１（Ａ）は、図１０のＳ２１（ログイン処理）を説明するためのフロー図であり、図１１（Ｂ）は、図１０のＳ２３（ログアウト処理）を説明するためのフロー図である。
【図１２】図１２は、図１０のＳ２５（接続処理）を説明するためのフロー図である。
【図１３】図１３は、本発明の第一実施の形態に係るＴＵＭ２３の概略構成図である。
【図１４】図１４は、本発明の第一実施の形態に係るＴＵＭ２３の動作を説明するためのフロー図である。
【図１５】図１５（Ａ）は、図１４のＳ３８（発信中継処理）を説明するためのフロー図であり、図１５（Ｂ）は、図１４のＳ４０（着信中継処理）を説明するためのフロー図である。
【図１６】図１６は、本発明の第一実施の形態に係るＩＰ−ＴＥＬ２２の概略構成図である。
【図１７】図１７は、本発明の第一実施の形態に係るＩＰ−ＴＥＬ２２の動作を説明するためのフロー図である。
【図１８】図１８は、ＩＰ−ＴＥＬ２２が他の拠点ネットワーク２内のＩＰ−ＴＥＬ２２に発信する場合のＩＰ電話システムの第一の動作例を示すシーケンス図である。
【図１９】図１９は、ＩＰ−ＴＥＬ２２が他の拠点ネットワーク２内のＩＰ−ＴＥＬ２２に発信する場合のＩＰ電話システムの第二の動作例を示すシーケンス図である。
【図２０】図２０は、本発明の第二実施の形態に係るＩＰ電話システムの概略図である。
【図２１】図２１は、本発明の第二実施の形態に係るメインＴＭ１２Ａの概略構成図である。
【図２２】図２２は、本発明の第二実施の形態に係るメインＴＭ１２Ａの動作を説明するためのフロー図である。
【図２３】図２３（Ａ）は、図２２のＳ１７Ａ（発信転送処理）を説明するためのフロー図であり、図２３（Ｂ）は、図２２のＳ１７Ｂ（着信転送処理）を説明するためのフロー図である。
【図２４】図２４は、ＩＰ−ＴＥＬ２２が、自ＩＰ−ＴＥＬ２２を配下とするメインＴＭ１２Ａとは別のメインＴＭ１２Ａの配下にあるＩＰ−ＴＥＬ２２に発信する場合のＩＰ電話システムの動作例を示すシーケンス図である。
【符号の説明】
【０２３３】
１、１Ａ：管理ネットワーク、２：拠点ネットワーク、３：ＩＰ網、４：公衆網、５：ＩＰ専用線、１１：ルータ、１２、１２Ａ：メインＴＭ、２１：ルータ、２２：ＩＰ−ＴＥＬ、２３：ＴＵＭ、２４：サブＴＭ、１２１：ＬＡＮインターフェース部、１２２：ログイン処理部、１２３：ログインデータ記憶部、１２４：ＴＵＭ状態記憶部、１２５：疎通確認部、１２６、１２６Ａ：呼制御部、１２７：局データ記憶部、１２８：ＩＰ専用線インターフェース部、２２１：ＬＡＮインターフェース部、２２２：疎通確認部、２２３：ＴＭアドレス情報記憶部、２２４：ログイン要求部、２２５：ログインデータ記憶部、２２６：ＩＰ電話機能部、２３１：ＬＡＮインターフェース部、２３２：公衆網インターフェース部、２３３：疎通確認部、２３４：ＴＭアドレス情報記憶部、２３５：ＴＵＭ番号情報記憶部、２３６：中継部、２４１：ＬＡＮインターフェース部、２４２：ログイン処理部、２４３：ログインデータ記憶部、２４４：呼制御部、２４５：局データ記憶部、１２６１：迂回制御部、１２６２：発信転送部、１２６３：着信転送部、２３６１：発信中継部、２３６２：着信中継部、２４４１：着信制御部
【図１】
0005227616.tif 000002
【図２】
0005227616.tif 000003
【図３】
0005227616.tif 000004
【図４】
0005227616.tif 000005
【図５】
0005227616.tif 000006
【図６】
0005227616.tif 000007
【図７】
0005227616.tif 000008
【図８】
0005227616.tif 000009
【図９】
0005227616.tif 000010
【図１０】
0005227616.tif 000011
【図１１】
0005227616.tif 000012
【図１２】
0005227616.tif 000013
【図１３】
0005227616.tif 000014
【図１４】
0005227616.tif 000015
【図１５】
0005227616.tif 000016
【図１６】
0005227616.tif 000017
【図１７】
0005227616.tif 000018
【図１８】
0005227616.tif 000019
【図１９】
0005227616.tif 000020
【図２０】
0005227616.tif 000021
【図２１】
0005227616.tif 000022
【図２２】
0005227616.tif 000023
【図２３】
0005227616.tif 000024
【図２４】
0005227616.tif 000025